(57)【要約】  無線通信システムにおいて改善されたセル探索及び選択を容易にするシステム及び方法が本明細書で述べられる。例えば、ここに記述されている端末は、端末が望ましいセルにキャンプオンすることを許容される時間量を増加させるために、ここに記述されている１つ以上の閉じた加入者グループ（ＣＳＧ）固有のオフセット及び／又はヒステリシスパラメータを利用し得る。さらに、専用の再選択タイミングが、ここに記述されているように使用されて、ホームノードＢ（ＨＮＢ）セル又はホーム進化型ノードＢ（ＨｅＮＢ）セルを選択することに関連する遅延が増加され、それにより、密に分布するネットワーク環境において迅速なセル再選択に関連する電力消費が低減され得る。さらに、２段階再選択プロセスが、セル再選択のための周波数の選択の文脈で本明細書において述べるように実施されることができ、それにより、ＣＳＧセル優先順序付けによる、セル間及び／又は周波数間の迅速な再選択の影響を軽減する。
2011530265.tif 000002
【特許請求の範囲】
【請求項１】
無線通信システム内のセルの選択に関連するランク付け基準を識別すること、
前記セルが、関連する閉じた加入者グループ（ＣＳＧ）ホワイトリストに属することが知られているかどうかを決定すること、
前記決定することの結果に少なくとも部分的に基づいて、前記ランク付け基準に適用されるオフセット又はヒステリシスパラメータの少なくとも一方を選択することを含む方法。
【請求項２】
前記セルは、アイドルモードにおける再選択用の候補セルである、請求項１に記載の方法。
【請求項３】
前記決定することは、
前記候補セルがホームノードＢ（ＨＮＢ）であるか、ホーム進化型ノードＢ（ＨｅＮＢ）であるかを決定すること、
前記候補セルがＨＮＢ又はＨｅＮＢでないと決定されると、前記候補セルが、前記関連するＣＳＧホワイトリストに属することが知られていないと決定することを含む、請求項２に記載の方法。
【請求項４】
前記決定することは、
ＣＳＧセルについて予約された識別子の値のセットを受信すること、
前記識別子の値のセット内の識別子の値に対して、前記セルに相当する識別子の値を照合しようと試みること、及び、
前記識別子の値のセット内の識別子の値に対して、前記セルに相当する前記識別子の値が成功裏に照合されると、少なくとも部分的に前記セルのＣＳＧ識別子（ＩＤ）を読み取ることによって、前記セルが、前記関連するＣＳＧホワイトリストに属することが知られているかどうかを決定することを含む、請求項１に記載の方法。
【請求項５】
前記決定することは、
現在のロケーションに相当する指紋信号パターンを取得すること、
前記指紋信号パターンが、前記関連するＣＳＧホワイトリストに属する１つ又は複数のセルを示すかどうかを決定すること、及び、
前記指紋信号パターンが、前記関連するＣＳＧホワイトリストに属する１つ又は複数のセルを示すと決定されると、予め規定された範囲内の各セルのＣＳＧ  ＩＤを読み取り、前記各ＣＳＧ  ＩＤに少なくとも部分的に基づいて前記各セルが、前記関連するＣＳＧホワイトリストに属することが知られているかどうかを決定することを含む、請求項１に記載の方法。
【請求項６】
前記セルは、現在キャンプされているセルである請求項１に記載の方法。
【請求項７】
前記選択することは、前記セルが、前記関連するＣＳＧホワイトリストに属することが知られていると決定されると、正のランク付けオフセット又はヒステリシスパラメータを選択し、それにより、異種セルから前記セルへの再選択又は前記セルから異種セルへの再選択がそこで起こる前記セルからの距離を増加させることを含む請求項１に記載の方法。
【請求項８】
前記選択することは、前記セルが、前記関連するＣＳＧホワイトリストに属することが知られていないと決定されると、負のランク付けオフセット又はヒステリシスパラメータを選択し、それにより、異種セルから前記セルへの再選択又は前記セルから異種セルへの再選択がそこで起こる前記セルからの距離を減少させることを含む、請求項１に記載の方法。
【請求項９】
前記選択することは、
１つ以上のＣＳＧ固有のオフセットが利用可能であるかどうかを決定すること、
１つ以上のＣＳＧ固有のオフセットが利用可能であると決定されると、ＣＳＧ固有のオフセットを選択すること、
１つ以上のＣＳＧ固有のオフセットが利用可能でないと決定されると、システム全体のオフセットを選択することを含む請求項１に記載の方法。
【請求項１０】
ネットワークセルに関連するデータ、前記ネットワークセルの選択に関連するランク付けメトリック、及び許可された閉じた加入者グループ（ＣＳＧ）セルのリストを記憶するメモリと、
前記ネットワークセルが、前記許可されたＣＳＧセルのリストに属することが知られているかどうかの決定の結果に少なくとも部分的に基づいて、前記ネットワークセルの選択に関連する前記ランク付けメトリックに適用されるオフセット又はヒステリシスパラメータの少なくとも一方を選択するように構成されたプロセッサと、を備える無線通信装置。
【請求項１１】
前記ネットワークセルは、アイドルモードにおける再選択用の候補セルである、請求項１０に記載の無線通信装置。
【請求項１２】
前記プロセッサは、前記ネットワークセルがホームノードＢ（ＨＮＢ）であるか、ホーム進化型ノードＢ（ＨｅＮＢ）であるかを決定し、
前記候補セルがＨＮＢ又はＨｅＮＢでないと決定されると、前記候補セルが、前記許可されたＣＳＧセルのリストに属することが知られていないと決定するようにさらに構成される、請求項１０に記載の無線通信装置。
【請求項１３】
前記メモリは、各ＣＳＧセルについて予約された識別子の値に関連するデータをさらに記憶し、
前記プロセッサは、前記メモリによって記憶されたＣＳＧセルについて予約された識別子の値に対して、前記ネットワークセルに相当する識別子の値を照合しようと試み、成功裏に試みられると、少なくとも部分的に前記ネットワークセルのＣＳＧ識別子（ＩＤ）を読み取ることによって、前記ネットワークセルが、前記許可されたＣＳＧセルのリストに属することが知られているかどうかを決定するようにさらに構成される、請求項１０に記載の無線通信装置。
【請求項１４】
前記プロセッサは、現在のロケーションに相当する指紋信号パターンを取得し、前記指紋信号パターンが、前記現在のロケーションの予め規定された範囲内で１つ以上の許可されたＣＳＧセルを示すかどうかを決定し、前記指紋信号パターンが、前記現在のロケーションの予め規定された範囲内で１つ以上の許可されたＣＳＧセルを示すと決定されると、少なくとも部分的に前記ネットワークセルのＣＳＧ識別子（ＩＤ）を読み取ることによって、前記ネットワークセルが、前記許可されたＣＳＧセルのリストに属することが知られているかどうかを決定するようにさらに構成される、請求項１０に記載の無線通信装置。
【請求項１５】
前記セルは、現在キャンプされているセルである、請求項１０に記載の無線通信装置。
【請求項１６】
前記プロセッサは、前記ネットワークセルが、前記許可されたＣＳＧセルのリストに属することが知られていると決定されると、正のランク付けオフセット又はヒステリシスパラメータを選択し、それにより、異種セルから前記ネットワークセルへの再選択又は前記ネットワークセルから異種セルへの再選択がそこで起こる前記ネットワークセルからの距離を増加させるようにさらに構成される、請求項１０に記載の無線通信装置。
【請求項１７】
前記プロセッサは、前記ネットワークセルが、前記許可されたＣＳＧセルのリストに属することが知られていないと決定されると、負のランク付けオフセット又はヒステリシスパラメータを選択し、それにより、異種セルから前記ネットワークセルへの再選択又は前記ネットワークセルから異種セルへの再選択がそこで起こる前記ネットワークセルからの距離を減少させるようにさらに構成される、請求項１０に記載の無線通信装置。
【請求項１８】
前記プロセッサは、１つ以上のＣＳＧ固有のオフセットが利用可能であるかどうかを決定し、
１つ以上のＣＳＧ固有のオフセットが利用可能であると決定されると、ＣＳＧ固有のオフセットを選択するか、又は、
１つ以上のＣＳＧ固有のオフセットが利用可能でないと決定されると、システム全体のオフセットを選択するようにさらに構成される、請求項１０に記載の無線通信装置。
【請求項１９】
ネットワークセルの選択に関連するランク付けパラメータを識別する手段と、
所定のネットワークセルの閉じた加入者グループ（ＣＳＧ）ホワイトリストメンバーシップの決定に少なくとも部分的に基づいて、前記所定のネットワークセル用の前記ランク付けパラメータに適用するオフセット又はヒステリシスパラメータを選択する手段と、を備える装置。
【請求項２０】
前記選択する手段は、
前記所定のネットワークセルがホームノードＢ（ＨＮＢ）セルであるか、ホーム進化型ノードＢ（ＨｅＮＢ）セルであるかを決定する手段と、
前記所定のネットワークセルがＨＮＢセル又はＨｅＮＢセルでないと決定されると、前記所定のネットワークセルが、関連するＣＳＧホワイトリストに属することが知られていないと決定する手段とを備える、請求項１９に記載の装置。
【請求項２１】
前記選択する手段は、
各ＣＳＧセルについて予約された識別子の値のセットを受信する手段と、
前記識別子の値のセット内の識別子の値に対して、前記所定のネットワークセルに相当する識別子の値を照合しようと試みる手段と、
前記識別子の値のセット内の識別子の値に対して、前記所定のネットワークセルに相当する前記識別子の値が成功裏に照合されると、少なくとも部分的に前記所定のネットワークセルのＣＳＧ識別子を読み取ることによって、前記所定のネットワークセルが、関連するＣＳＧホワイトリストに属することが知られているかどうかを決定する手段とを備える、請求項１９に記載の装置。
【請求項２２】
前記選択する手段は、
現在のロケーションに相当する指紋信号パターンを取得する手段と、
前記指紋信号パターンが、予め規定された範囲内で、関連するＣＳＧホワイトリストに属する１つ以上のネットワークセルを示すかどうかを決定する手段と、
前記指紋信号パターンが、前記関連するＣＳＧホワイトリストに属する１つ以上のセルを示すと決定されると、少なくとも部分的に前記各セルのＣＳＧ識別子を読み取ることによって、前記予め規定された範囲内の前記各セルが、前記関連するＣＳＧホワイトリストに属することが知られているかどうかを決定する手段とを備える、請求項１９に記載の装置。
【請求項２３】
前記選択する手段は、既知のＣＳＧホワイトリストメンバーシップを有する所定のネットワークセルについて、正のランク付けオフセット又はヒステリシスパラメータを選択し、それにより、異種セルから前記ネットワークセルへの再選択又は前記ネットワークセルから異種セルへの再選択がそこで起こる前記ネットワークセルからの距離を増加させる手段を備える、請求項１９に記載の装置。
【請求項２４】
前記選択する手段は、ＣＳＧホワイトリストメンバーシップを有することが知られていない所定のネットワークセルについて、負のランク付けオフセット又はヒステリシスパラメータを選択し、それにより、異種セルから前記ネットワークセルへの再選択又は前記ネットワークセルから異種セルへの再選択がそこで起こる前記ネットワークセルからの距離を減少させる手段を備える、請求項１９に記載の装置。
【請求項２５】
前記選択する手段は、
１つ以上のＣＳＧ固有のオフセットが利用可能であるかどうかを決定する手段と、
１つ以上のＣＳＧ固有のオフセットが利用可能であると決定されると、ＣＳＧ固有のオフセットを選択する手段と、
１つ以上のＣＳＧ固有のオフセットが利用可能でないと決定されると、システム全体のオフセットを選択する手段とを備える、請求項１９に記載の装置。
【請求項２６】
コンピュータ可読媒体を備え、前記コンピュータ可読媒体は、
無線通信システムにおいてセルの選択に関連するランク付け基準を識別することをコンピュータに行わせるコードと、
前記セルの閉じた加入者グループ（ＣＳＧ）ホワイトリストメンバーシップの決定に少なくとも部分的に基づいて、前記セルの選択に関連する前記ランク付け基準に適用するオフセット又はヒステリシスパラメータを選択することをコンピュータに行わせるコードと、を含むコンピュータプログラム製品。
【請求項２７】
選択することをコンピュータに行わせる前記コードは、
前記セルがホームノードＢ（ＨＮＢ）セルであるか、ホーム進化型ノードＢ（ＨｅＮＢ）セルであるかを決定することをコンピュータに行わせるコードと、
前記セルがＨＮＢセル又はＨｅＮＢセルでないと決定されると、前記セルが、関連するＣＳＧホワイトリストに属することが知られていないと決定することをコンピュータに行わせるコードとを含む、請求項２６に記載のコンピュータプログラム製品。
【請求項２８】
選択することをコンピュータに行わせる前記コードは、
各ＣＳＧセルについて予約された識別子の値のセットを識別することをコンピュータに行わせるコードと、
前記識別子の値のセット内の識別子の値に対して、前記セル用の識別子の値を照合しようと試みることをコンピュータに行わせるコードと、
前記識別子の値のセット内の識別子の値に対して、前記セル用の前記識別子の値が成功裏に照合されると、少なくとも部分的に前記セルのＣＳＧ識別子を読み取ることによって、前記セルが、関連するＣＳＧホワイトリストに属することが知られているかどうかを決定することをコンピュータに行わせるコードとを含む、請求項２６に記載のコンピュータプログラム製品。
【請求項２９】
選択することをコンピュータに行わせる前記コードは、
現在のロケーションに相当する指紋信号パターンを取得することをコンピュータに行わせるコードと、
前記指紋信号パターンが、予め規定された範囲内で、関連するＣＳＧホワイトリストに属する１つ以上のネットワークセルを示すかどうかを決定することをコンピュータに行わせるコードと、
前記指紋信号パターンが、前記予め規定された範囲内で前記関連するＣＳＧホワイトリストに属する１つ以上のセルを示すと決定されると、少なくとも部分的に前記各セルのＣＳＧ識別子を読み取ることによって、前記各セルが、前記関連するＣＳＧホワイトリストに属することが知られているかどうかを決定することをコンピュータに行わせるコードとを含む、請求項２６に記載のコンピュータプログラム製品。
【請求項３０】
選択することをコンピュータに行わせる前記コードは、既知のＣＳＧホワイトリストメンバーシップを有するセルについて、正のランク付けオフセット又はヒステリシスパラメータを選択し、それにより、異種セルから前記セルへの再選択又は前記セルから異種セルへの再選択がそこで起こる前記セルからの距離を増加させることをコンピュータに行わせるコードを含む、請求項２６に記載のコンピュータプログラム製品。
【請求項３１】
選択することをコンピュータに行わせる前記コードは、ＣＳＧホワイトリストメンバーシップを有することを知られていないセルについて、負のランク付けオフセット又はヒステリシスパラメータを選択し、それにより、異種セルから前記セルへの再選択又は前記セルから異種セルへの再選択がそこで起こる前記セルからの距離を減少させることをコンピュータに行わせるコードを含む、請求項２６に記載のコンピュータプログラム製品。
【請求項３２】
選択することをコンピュータに行わせる前記コードは、
１つ以上のＣＳＧ固有のオフセットが利用可能であるかどうかを決定することをコンピュータに行わせるコードと、
１つ以上のＣＳＧ固有のオフセットが利用可能であると決定されると、ＣＳＧ固有のオフセットを選択すること、又は、１つ以上のＣＳＧ固有のオフセットが利用可能でないと決定されると、システム全体のオフセットを選択することをコンピュータに行わせるコードとを含む請求項２６に記載のコンピュータプログラム製品。
【請求項３３】
第１の再選択タイマ及び第２の再選択タイマを初期化することであって、前記第１の再選択タイマは、前記第２の再選択タイマの前に終了するように構成される、初期化すること、
再選択プロシージャが行われるセルを識別すること、
前記セルが、ホームノードＢ（ＨＮＢ）セルであるか、ホーム進化型ノードＢ（ＨｅＮＢ）セルであるかを決定すること、
前記決定することの結果に少なくとも部分的に基づいて、前記第１の再選択タイマの終了時又は前記第２の再選択タイマの終了時に起こるように前記セルに対する再選択を構成することを含む方法。
【請求項３４】
前記再選択を構成することは、前記セルがＨＮＢセル又はＨｅＮＢセルでないと決定されると、前記第１の再選択タイマの終了時に起こるように前記セルに対する再選択を構成することを含む、請求項３３に記載の方法。
【請求項３５】
前記再選択を構成することは、前記セルがＨＮＢセル又はＨｅＮＢセルであると決定されると、前記第２の再選択タイマの終了時に起こるように前記セルに対する再選択を構成することを含む、請求項３３に記載の方法。
【請求項３６】
前記再選択を構成することは、前記セルが、関連する閉じた加入者グループ（ＣＳＧ）ホワイトリスト内にあることが知られているＨＮＢセル又はＨｅＮＢセルであると決定されると、前記第１の再選択タイマの終了後でかつ前記第２の再選択タイマの終了前に起こるように前記セルに対する再選択を構成することを含む、請求項３３に記載の方法。
【請求項３７】
前記再選択を構成することは、前記セルによって提供されるサービスに基づいて決定される前記セルの望ましさに基づいて、前記第１の再選択タイマの終了後でかつ前記第２の再選択タイマの終了前に、又は、前記第２の再選択タイマの終了時に起こるように前記セルに対する再選択を構成することを含む、請求項３３に記載の方法。
【請求項３８】
前記再選択を構成することは、前記セルの観測される信号品質又は現在キャンプされているセルの観測される信号品質の少なくとも一方に基づいて前記セルに対する再選択が起こる時間を構成することを含む、請求項３３に記載の方法。
【請求項３９】
前記再選択を構成することは、
前記セルに関連する各パイロットの信号強度を評価すること、
前記評価された信号強度に基づいて前記各パイロットの相対信号品質を計算することをさらに含む、請求項３８に記載の方法。
【請求項４０】
前記計算することは、前記各パイロットの前記評価された信号強度と観測される総合信号強度の比として前記各パイロットの相対信号品質を計算することを含む、請求項３９に記載の方法。
【請求項４１】
前記評価することは、各パイロットからＮ個の信号強度サンプルを収集することを含み、Ｎは整数である、請求項３９に記載の方法。
【請求項４２】
前記計算することは、平均信号品質を取得するために、前記Ｎ個の信号強度サンプルからサンプリング済み信号強度を平均することをさらに含み、
前記構成することは、前記平均信号品質の関数として、前記第１の再選択タイマの終了後でかつ前記第２の再選択タイマの終了前に、又は、前記第２の再選択タイマの終了時に起こるように前記セルに対する再選択を構成することをさらに含む、請求項４１に記載の方法。
【請求項４３】
前記再選択を構成することは、前記Ｎ個の信号強度サンプル内の少なくともＭ個の信号強度サンプルが予め規定された再選択閾値を超えると決定されると、前記第１の再選択タイマの終了後でかつ前記第２の再選択タイマの終了前に起こるように前記セルに対する再選択を構成することをさらに含み、ＭはＮ以下の整数である、請求項４１に記載の方法。
【請求項４４】
前記再選択を構成することは、前記現在キャンプされているセルの前記観測される信号品質が所定のレベルより下がったと決定されると、前記第１の再選択タイマの終了前に、又は、前記第１の再選択タイマの終了後でかつ前記第２の再選択タイマの終了前に起こるように前記セルに対する再選択を構成することをさらに含む、請求項３８に記載の方法。
【請求項４５】
再選択が行われるネットワークセルに関連するデータを記憶するメモリと、
第１の再選択遅延が第２の再選択遅延より短くなるように前記第１の再選択遅延及び前記第２の再選択遅延を構成し、再選択が行われるネットワークセルがホームノードＢ（ＨＮＢ）であるか、ホーム進化型ノードＢ（ＨｅＮＢ）であるかを決定し、前記ネットワークセルがＨＮＢであるか、ＨｅＮＢであるかに少なくとも部分的に基づいて前記第１の再選択遅延又は前記第２の再選択遅延で起こるように前記ネットワークセルに対する再選択を構成するように構成されたプロセッサとを備える無線通信装置。
【請求項４６】
前記プロセッサは、前記セルがＨＮＢ又はＨｅＮＢでないと決定されると、前記第１の再選択遅延で起こるように前記ネットワークセルに対する再選択を構成するか、又は、前記セルがＨＮＢ又はＨｅＮＢであると決定されると、前記第２の再選択遅延で起こるように前記ネットワークセルに対する再選択を構成するようにさらに構成される請求項４５に記載の無線通信装置。
【請求項４７】
前記メモリは、閉じた加入者グループ（ＣＳＧ）ホワイトリストに関連するデータをさらに記憶し、
前記プロセッサは、前記ネットワークセルが、前記ＣＳＧホワイトリスト内にあることが知られているＨＮＢ又はＨｅＮＢであると決定されると、前記第１の再選択遅延後でかつ前記第２の再選択遅延前に起こるように前記ネットワークセルに対する再選択を構成するようにさらに構成される請求項４５に記載の無線通信装置。
【請求項４８】
前記プロセッサは、前記ネットワークセルの観測される信号品質又は現在キャンプされているセルの観測される信号品質の少なくとも一方に基づいて前記ネットワークセルに対する再選択が起こる時間を構成するようにさらに構成される請求項４５に記載の無線通信装置。
【請求項４９】
前記プロセッサは、前記ネットワークセルに関連する各パイロットの信号強度を評価し、前記評価された信号強度に基づいて前記各パイロットの相対信号品質を計算するようにさらに構成される、請求項４８に記載の無線通信装置。
【請求項５０】
前記プロセッサは、前記各パイロットの前記評価された信号強度と観測される総合信号強度の比として前記各パイロットの相対信号品質を計算するようにさらに構成される、請求項４９に記載の無線通信装置。
【請求項５１】
前記メモリは、整数Ｎ及び整数Ｍに関連するデータをさらに記憶し、ＭはＮより小さく、
前記プロセッサは、各パイロットから信号強度のＮ個のサンプルを収集し、前記Ｎ個のサンプルから計算される平均信号品質の関数として、又は、前記Ｎ個のサンプル内の少なくともＭ個のサンプルが予め規定された再選択閾値を超えると決定されると、前記第１の再選択遅延の終了後でかつ前記第２の再選択遅延の終了前に、又は、前記第２の再選択遅延の終了時に起こるように前記ネットワークセルに対する再選択を構成するようにさらに構成される、請求項４９に記載の無線通信装置。
【請求項５２】
前記プロセッサは、前記現在キャンプされているセルの前記観測された信号品質が所定のレベルより劣化したと決定されると、前記第１の再選択遅延の終了前に、又は、前記第１の再選択遅延の終了後でかつ前記第２の再選択遅延の終了前に起こるように前記ネットワークセルに対する再選択を構成するようにさらに構成される、請求項４８に記載の無線通信装置。
【請求項５３】
第１のセル選択タイマが、第２のセル選択タイマの前に終了するよう構成されるように、前記第１のセル選択タイマ及び前記第２のセル選択タイマを初期化する手段と、
再選択が行われるネットワークセルを識別する手段と、
前記ネットワークセルが、ホームノードＢ（ＨＮＢ）セルであるか、ホーム進化型ノードＢ（ＨｅＮＢ）セルであるかに少なくとも部分的に基づいて前記第１のセル選択タイマ又は前記第２のセル選択タイマの終了時に前記ネットワークセルに対する再選択を行う手段と、を備える装置。
【請求項５４】
再選択を行う前記手段は、
前記ネットワークセルがＨＮＢセル又はＨｅＮＢセルでないと決定されると、前記第１のセル選択タイマの終了時に前記ネットワークセルに対する再選択を行う手段、又は、
前記ネットワークセルがＨＮＢセル又はＨｅＮＢセルであると決定されると、前記第２のセル選択タイマの終了時に前記ネットワークセルに対する再選択を行う手段
の１つ又は両方を含む、請求項５３に記載の装置。
【請求項５５】
再選択を行う前記手段は、
前記ネットワークセルの閉じた加入者グループ（ＣＳＧ）ホワイトリスト又は前記ネットワークセルによって提供されるサービスに基づいて決定される前記ネットワークセルの望ましさの少なくとも一方に基づいて、前記第１のセル選択タイマの終了後でかつ前記第２のセル選択タイマの終了前の時間、又は、前記第２の再選択タイマの終了時から、前記ネットワークセルに対する再選択が行われる時間を選択する手段と、
前記選択された時間において前記ネットワークセルに対する再選択を行う手段と、を備える、請求項５３に記載の装置。
【請求項５６】
再選択を行う前記手段は、
前記ネットワークセルの信号強度又は現在キャンプされているセルの信号強度の少なくとも一方に基づいて前記ネットワークセルに対する再選択が行われる時間を選択する手段と、
前記選択された時間において前記ネットワークセルに対する再選択を行う手段とを備える、請求項５３に記載の装置。
【請求項５７】
選択する前記手段は、
前記ネットワークセルに関連する各パイロットの信号強度を評価する手段と、
前記評価された信号強度に基づいて前記各パイロットの相対信号品質を計算する手段と、を備える、請求項５６に記載の装置。
【請求項５８】
評価する前記手段は、所定の整数Ｎについて、各パイロットからＮ個の信号強度サンプルを取得する手段を備え、
選択する前記手段は、前記Ｎ個の信号強度サンプルから計算される平均信号品質の関数として、又は、Ｎ以下の所定の整数Ｍについて前記Ｎ個の信号強度サンプル内の少なくともＭ個の信号強度サンプルが、予め規定された再選択閾値を超えるサンプリグ済み信号強度を有すると決定されると、前記ネットワークセルに対する再選択が行われる時間を選択する手段を備える、請求項５７に記載の装置。
【請求項５９】
選択する前記手段は、前記現在キャンプされているセルの前記観測された信号品質が所定のレベルより劣化したと決定されると、前記第１のセル選択タイマの終了前に、又は、前記第１のセル選択タイマの終了後でかつ前記第２のセル選択タイマの終了前に起こるように前記ネットワークセルに対する再選択を構成する手段を備える、請求項５７に記載の装置。
【請求項６０】
コンピュータ可読媒体を備え、前記コンピュータ可読媒体は、
第１のセル選択タイマが、第２のセル選択タイマの前に終了するよう構成されるように、前記第１のセル選択タイマ及び前記第２のセル選択タイマを初期化することをコンピュータに行わせるコードと、
再選択が行われる無線通信システム内のセルを識別することをコンピュータに行わせるコードと、
前記セルが、ホームノードＢ（ＨＮＢ）セルであるか、ホーム進化型ノードＢ（ＨｅＮＢ）セルであるかに少なくとも部分的に基づいて前記第１のセル選択タイマ又は前記第２のセル選択タイマの終了時に前記セルに対する再選択を行うことをコンピュータに行わせるコードと、を含むコンピュータプログラム製品。
【請求項６１】
再選択を行うことをコンピュータに行わせる前記コードは、前記セルがＨＮＢセル又はＨｅＮＢセルでないと決定されると、前記第１のセル選択タイマの終了後に前記セルに対する再選択を行うことをコンピュータに行わせるコードを含む、請求項６０に記載のコンピュータプログラム製品。
【請求項６２】
再選択を行うことをコンピュータに行わせる前記コードは、前記セルがＨＮＢセル又はＨｅＮＢセルであると決定されると、前記第２のセル選択タイマの終了後に前記セルに対する再選択を行うことをコンピュータに行わせるコードを含む、請求項６０に記載のコンピュータプログラム製品。
【請求項６３】
再選択を行うことをコンピュータに行わせる前記コードは、
前記セルの信号強度又は現在キャンプされているセルの信号強度の少なくとも一方に基づいて前記セルに対する再選択が行われる時間を選択することをコンピュータに行わせるコードと、
前記選択された時間において前記セルに対する再選択を行うことをコンピュータに行わせるコードと、を含む、請求項６０に記載のコンピュータプログラム製品。
【請求項６４】
選択することをコンピュータに行わせる前記コードは、
前記セルに関連する各パイロットの信号強度を評価することをコンピュータに行わせるコードと、
前記評価された信号強度に基づいて前記各パイロットの相対信号品質を計算することをコンピュータに行わせるコードと、を含む、請求項６３に記載のコンピュータプログラム製品。
【請求項６５】
評価することをコンピュータに行わせる前記コードは、所定の整数Ｎについて、各パイロットからＮ個の信号強度サンプルを取得することをコンピュータに行わせるコードを含み、
選択することをコンピュータに行わせる前記コードは、前記Ｎ個のサンプルから計算される平均信号品質の関数として、又は、Ｎ以下の所定の整数Ｍについて前記Ｎ個のサンプル内の少なくともＭ個のサンプルが、予め規定された再選択閾値を超えると決定されると、前記セルに対する再選択が行われる時間を選択することをコンピュータに行わせるコードを含む、請求項６４に記載のコンピュータプログラム製品。
【請求項６６】
選択することをコンピュータに行わせる前記コードは、前記現在キャンプされているセルの前記観測された信号品質が所定のレベルより劣化したと決定されると、前記第１のセル選択タイマの終了前に、又は、前記第１のセル選択タイマの終了後でかつ前記第２のセル選択タイマの終了前に起こるように前記セルに対する再選択を構成することをコンピュータに行わせるコードを含む、請求項６４に記載のコンピュータプログラム製品。
【請求項６７】
無線通信システム内でセル再選択用の候補周波数を識別すること、
提供されるサービス又はＣＳＧホワイトリストメンバーシップの少なくとも一方に基づいて望ましいとみなされる閉じた加入者グループ（ＣＳＧ）セルを前記候補周波数上で識別すること、
前記識別されたＣＳＧセルが前記候補周波数上で最も高くランク付けされたセルであると決定されると、前記候補周波数上で前記識別されたＣＳＧセルにキャンプオンすることを含む方法。
【請求項６８】
候補周波数を前記識別することは、前記識別されたＣＳＧセルからの観測される信号強度がそれに関して予め規定された閾値を超える周波数を識別することを含む、請求項６７に記載の方法。
【請求項６９】
前記識別されたＣＳＧセルが、前記候補周波数上で最も高くランク付けされたセルでないと決定されると、現在キャンプされているセル及び現在の周波数に留まることをさらに含む、請求項６７に記載の方法。
【請求項７０】
再選択用の候補周波数及び閉じた加入者グループ（ＣＳＧ）ホワイトリストに関連するデータを記憶するメモリと、
ＣＳＧセルであって、当該ＣＳＧセルによって提供されるサービス又は前記ＣＳＧホワイトリスト内の当該ＣＳＧセルのメンバーシップの少なくとも一方に基づいて望ましいとみなされる、ＣＳＧセルを前記候補周波数上で識別し、前記候補周波数上で最も高くランク付けされたセルを識別し、前記ＣＳＧセルが、前記候補周波数上で最も高くランク付けされたセルであると決定されると、前記候補周波数上で前記ＣＳＧセルにキャンプオンすることを始動するように構成されたプロセッサとを備える無線通信装置。
【請求項７１】
前記プロセッサは、前記ＣＳＧセルからの観測される信号強度がそれに関して予め規定された閾値を超える周波数として前記候補周波数を識別するようにさらに構成される、請求項７０に記載の無線通信装置。
【請求項７２】
前記メモリは、選択された周波数及びキャンプセルに関連するデータをさらに記憶し、
前記プロセッサは、前記ＣＳＧセルが、前記候補周波数上で最も高くランク付けされたセルでないと決定されると、前記選択された周波数及び前記キャンプセルに留まるようにさらに構成される、請求項７０に記載の無線通信装置。
【請求項７３】
セル選択用の候補周波数を識別する手段と、
前記候補周波数上で、望ましい閉じた加入者グループ（ＣＳＧ）セルを識別する手段と、
前記望ましいＣＳＧセルが、前記候補周波数上で最も高くランク付けされたセルであると決定されると、前記候補周波数上で前記望ましいＣＳＧセルにキャンプオンする手段とを備える装置。
【請求項７４】
望ましいＣＳＧセルを識別する前記手段は、提供されるサービス又はＣＳＧホワイトリストメンバーシップの少なくとも一方に基づいて望ましいとみなされるＣＳＧセルを識別する手段を備える、請求項７３に記載の装置。
【請求項７５】
候補周波数を識別する前記手段は、前記望ましいＣＳＧセルからの観測される信号強度がそれに関して予め規定された閾値を超える周波数を識別する手段を備える、請求項７３に記載の装置。
【請求項７６】
コンピュータ可読媒体を備え、前記コンピュータ可読媒体は、
セル再選択動作に関連する周波数を識別することをコンピュータに行わせるコードと、
前記識別された周波数上で、望ましい閉じた加入者グループ（ＣＳＧ）セルを識別することをコンピュータに行わせるコードと、
前記望ましいＣＳＧセルが、前記識別された候補周波数上で最も高くランク付けされたセルであると決定されると、前記識別された候補周波数上で前記望ましいＣＳＧセルにキャンプオンすることをコンピュータに行わせるコードとを含むコンピュータプログラム製品。
【請求項７７】
望ましいＣＳＧセルを識別することをコンピュータに行わせる前記コードは、ＣＳＧセルであって、当該ＣＳＧセルによって提供されるサービス又は当該ＣＳＧセルのＣＳＧホワイトリストメンバーシップの少なくとも一方に基づいて望ましいとみなされる、ＣＳＧセルを識別することをコンピュータに行わせるコードを含む、請求項７６に記載のコンピュータプログラム製品。
【請求項７８】
周波数を識別することをコンピュータに行わせる前記コードは、前記望ましいＣＳＧセルからの観測される信号強度がそれに関して予め規定された閾値を超える周波数を識別することをコンピュータに行わせるコードを含む、請求項７６に記載のコンピュータプログラム製品。
【請求項７９】
１以上のユーザの第１のセットに、閉塞加入者グループ（ＣＳＧ）メンバーシップに基づいて、セル再選択のため１以上のユーザの前記第１のセットによって利用されるランク付け公式を修正するパラメータの第１のセットを提供する提供すること、
１以上のユーザの第２のセットに、個別のホームノードＢ（ＨＮＢ）セル又はホーム進化型ノードＢ（ＨｅＮＢ）セルの選択に関して１以上のユーザの前記第２のセットによって使用される再選択遅延を修正するパラメータの第２のセットを提供することを含む方法。
【請求項８０】
１以上のユーザの前記第１のセット及び１以上のユーザの前記第２のセットは少なくとも部分的にオーバラップしない、請求項７９に記載の方法。
【請求項８１】
１以上のユーザの前記第１のセット及び１以上のユーザの前記第２のセットは実質的に同等である、請求項７９に記載の方法。
【請求項８２】
パラメータの第１のセットを提供することは、１以上のユーザの前記第１のセットの各ユーザに対するユニキャスト送信、マルチキャスト送信、又はブロードキャスト送信のうちの少なくとも１つで、１以上のユーザの前記第１のセットにパラメータの前記第１のセットを提供することを含む請求項７９に記載の方法。
【請求項８３】
パラメータの第２のセットを提供することは、１以上のユーザの前記第２のセットの各ユーザに対するユニキャスト送信、マルチキャスト送信、又はブロードキャスト送信のうちの少なくとも１つで、１以上のユーザの前記第２のセットにパラメータの前記第２のセットを提供することを含む、請求項７９に記載の方法。
【請求項８４】
パラメータの前記第１のセットは、ＣＳＧセルに対する再選択に関連するランク付け公式を修正するＣＳＧ固有のオフセット値又はＣＳＧセル以外に対する再選択に関連するランク付け公式を修正するＣＳＧ固有のヒステリシス値の少なくとも一方を含む、請求項７９に記載の方法。
【請求項８５】
前記ＣＳＧオフセット値は、再選択がそこで起こるユーザホワイトリスト内にあることが知られているＣＳＧセルからの距離の増加を容易にするＣＳＧオフセット値の第１のセット、及び、再選択がそこで起こるユーザホワイトリスト内にあることが知られていないＣＳＧセルからの距離の減少を容易にするＣＳＧオフセット値の第２のセットを含む、請求項８４に記載の方法。
【請求項８６】
パラメータの前記第２のセットは、ＨＮＢセル又はＨｅＮＢセルであると決定されないセルに対する再選択に関連する第１の再選択タイマ、及び、ＨＮＢセル又はＨｅＮＢセルであると決定されるセルに対する再選択に関連する第２の再選択タイマを含む、請求項７９に記載の方法。
【請求項８７】
閉じた加入者グループ（ＣＳＧ）メンバーシップに基づいて、セル再選択用のランク付け基準を修正するパラメータの第１のセット、及び、各ホームノードＢ（ＨＮＢ）セル又はホーム進化型ノードＢ（ＨｅＮＢ）セルの選択に関して使用される再選択遅延を修正するパラメータの第２のセットに関連するデータを記憶するメモリと、
１以上のユーザの第１のセットにパラメータの前記第１のセットを伝達し、１以上のユーザの第２のセットにパラメータの前記第２のセットを伝達するように構成されたプロセッサと、を備える、無線通信装置。
【請求項８８】
１以上のユーザの前記第１のセット及び１以上のユーザの前記第２のセットは少なくとも部分的にオーバラップしない、請求項８７に記載の無線通信装置。
【請求項８９】
１以上のユーザの前記第１のセット及び１以上のユーザの前記第２のセットは実質的に同等である、請求項８７に記載の無線通信装置。
【請求項９０】
前記プロセッサは、ユニキャスト送信、マルチキャスト送信、又はブロードキャスト送信のうちの少なくとも１つで、パラメータの前記第１のセット又はパラメータの前記第２のセットを伝達するようにさらに構成される、請求項８７に記載の無線通信装置。
【請求項９１】
パラメータの前記第１のセットは、ＣＳＧセルに対する再選択に関連するランク付け基準を修正するＣＳＧ固有のオフセット値又はＣＳＧセル以外に対する再選択に関連するランク付け基準を修正するＣＳＧ固有のヒステリシス値の少なくとも一方を含む、請求項８７に記載の無線通信装置。
【請求項９２】
前記ＣＳＧオフセット値は、再選択がそこで起こるユーザホワイトリスト内にあることが知られているＣＳＧセルからの距離の増加を容易にするＣＳＧオフセット値の第１のセット、及び、再選択がそこで起こるユーザホワイトリスト内にあることが知られていないＣＳＧセルからの距離の減少を容易にするＣＳＧオフセット値の第２のセットを含む、請求項９１に記載の無線通信装置。
【請求項９３】
パラメータの前記第２のセットは、ＨＮＢセル又はＨｅＮＢセルであると決定されないセルに対する再選択に関連する第１の再選択遅延、及び、ＨＮＢセル又はＨｅＮＢセルであると決定されるセルに対する再選択に関連する第２の再選択遅延を含む、請求項８７に記載の無線通信装置。
【請求項９４】
閉じた加入者グループ（ＣＳＧ）メンバーシップに基づいて、セル再選択のために使用されるランク付け基準をオフセットさせるパラメータの第１のセットを指示する手段と、
各ホームノードＢ（ＨＮＢ）セル又はホーム進化型ノードＢ（ＨｅＮＢ）セルの選択に関して使用される再選択遅延を制御するパラメータの第２のセットを指示する手段と、を備える装置。
【請求項９５】
パラメータの第１のセットを指示する前記手段は、ユニキャスト送信、マルチキャスト送信、又はブロードキャスト送信のうちの少なくとも１つで、パラメータの前記第１のセットを送信する手段を備える、請求項９４に記載の装置。
【請求項９６】
パラメータの第２のセットを指示する前記手段は、ユニキャスト送信、マルチキャスト送信、又はブロードキャスト送信のうちの少なくとも１つで、パラメータの前記第２のセットを送信する手段を備える、請求項９４に記載の装置。
【請求項９７】
パラメータの前記第１のセットは、ＣＳＧホワイトリストメンバーシップに基づいてＣＳＧセルに対する再選択に関連するランク付け基準を修正するオフセット値又はＣＳＧセル以外に対する再選択に関連するランク付け基準を修正するヒステリシス値の少なくとも一方を含む、請求項９４に記載の装置。
【請求項９８】
パラメータの前記第２のセットは、ＨＮＢセル又はＨｅＮＢセルであると決定されないセルに対する再選択に関連する第１のセル選択タイマ、及び、ＨＮＢセル又はＨｅＮＢセルであると決定されるセルに対する再選択に関連する第２のセル選択タイマを含む、請求項９４に記載の装置。
【請求項９９】
コンピュータ可読媒体を備え、前記コンピュータ可読媒体は、
閉じた加入者グループ（ＣＳＧ）メンバーシップに基づいてセル選択のために使用されるランク付け基準をオフセットさせるパラメータの第１のセットを通信することをコンピュータに行わせるコードと、
各ホームノードＢ（ＨＮＢ）セル又はホーム進化型ノードＢ（ＨｅＮＢ）セルの選択に関連するタイミングを制御するパラメータの第２のセットを通信することをコンピュータに行わせるコードと、を含むコンピュータプログラム製品。
【請求項１００】
パラメータの第１のセットを通信することをコンピュータに行わせる前記コードは、ユニキャスト送信、マルチキャスト送信、又はブロードキャスト送信のうちの少なくとも１つで、パラメータの前記第１のセットを通信することをコンピュータに行わせるコードを含む、請求項９９に記載のコンピュータプログラム製品。
【請求項１０１】
パラメータの第２のセットを通信することをコンピュータに行わせる前記コードは、ユニキャスト送信、マルチキャスト送信、又はブロードキャスト送信のうちの少なくとも１つで、パラメータの前記第２のセットを通信することをコンピュータに行わせるコードを含む、請求項９９に記載のコンピュータプログラム製品。
【請求項１０２】
パラメータの前記第１のセットは、ＣＳＧホワイトリストメンバーシップに基づいてＣＳＧセルに対する再選択に関連するランク付け基準を修正するオフセット値又はＣＳＧセル以外に対する再選択に関連するランク付け基準を修正するヒステリシス値の少なくとも一方を含む、請求項９９に記載のコンピュータプログラム製品。
【請求項１０３】
パラメータの前記第２のセットは、ＨＮＢセル又はＨｅＮＢセルであると決定されないセルに対する再選択のタイミングを制御する第１のセル選択タイマ、及び、ＨＮＢセル又はＨｅＮＢセルであると決定されるセルに対する再選択のタイミングを制御する第２のセル選択タイマを含む、請求項９９に記載のコンピュータプログラム製品。
【発明の詳細な説明】
【技術分野】
【０００１】
本開示は、一般に無線通信に関し、特に、無線通信システムにおけるネットワークセルの探索及び選択のための技術に関する。
【背景技術】
【０００２】
無線通信システムは、種々の通信サービスを提供するために広く展開されている。例えば、音声、ビデオ、パケットデータ、ブロードキャスト、及びメッセージングサービスは、こうした無線通信システムを介して提供され得る。これらのシステムは、利用可能なシステム資源を共有することによって複数の端末についての通信をサポートすることが可能な多重アクセスシステムであり得る。こうした多重アクセスシステムの例は、符号分割多元接続（Code Division Multiple Access）（ＣＤＭＡ）システム、時分割多元接続（Time Division Multiple Access）（ＴＤＭＡ）システム、周波数分割多元接続（Frequency Division Multiple Access）（ＦＤＭＡ）システム、及び直交周波数分割多元接続（Orthogonal Frequency Division Multiple Access）（ＯＦＤＭＡ）システムを含む。
【０００３】
高レート及びマルチメディアデータサービスについての需要が急速に増すにつれて、性能が向上した、効率的でかつ頑健な通信システムの実装に向けての努力が払われてきた。例えば、近年、ユーザは、固定回線通信を移動体通信に置換え始めており、また、高い音声品質、信頼性のあるサービス、及び低コストを益々要求している。
【０００４】
現在設置されている移動体電話ネットワークに加えて、新しいクラスの小さな基地局が出現しており、ユーザの家庭に設置され、既存の広帯域インターネット接続を使用して移動体ユニットに屋内無線サービスエリアサービスエリアを提供し得る。こうした個人用小型基地局は、一般に、アクセスポイント基地局、又は代わりとして、ホームノードＢ（Home Node B）（ＨＮＢ）又はフェムトセルとして知られる。通常、こうした小型基地局は、デジタル加入者線（Digital Subscriber Line）（ＤＳＬ）ルータ、ケーブルモデムなどを介して、インターネット及び移動体オペレータのネットワークに接続される。
【０００５】
無線通信システムは、システム内の各ロケーションについてサービスエリアを提供し得る一連の無線アクセスポイントを含むように構成され得る。こうしたネットワーク構造は、一般に、セルラーネットワーク構造と呼ばれ、アクセスポイント及び／又はアクセスポイントがネットワーク内でそれぞれサービス提供するロケーションは、一般に、セルと呼ばれる。
【０００６】
ホームノードＢ（ＨＮＢ）セル（例えば、アクセスポイント基地局、フェムトセル、ホーム進化型ノードＢ（ＨｅＮＢ）セルなど）を有する無線ネットワーク展開では、端末（例えば、ユーザ機器ユニット（user equipment unit）（ＵＥ）、移動端末、アクセス端末など）は、端末に関連する閉じた加入者グループ（closed subscriber group）（ＣＳＧ）に関連する許可されたセルのホワイトリストを供給し得る。一部のネットワーク実施態様では、ＣＳＧセルは、そのホワイトリスト内にＣＳＧセルを有する各端末が、接続されるとセルによって提供される各利益を活用できるように、種々の特別な支払いの及び／又は他のサービス利益に関連し得る。したがって、ある場合には、ＣＳＧセルの各利益が、関連する各端末によって活用され得る程度を最適化する方法を実施することが望ましいことになる。
【０００７】
さらに、一部の地理的エリアでは、無線通信ネットワーク展開は、サービスのオーバラップする各エリアについてサービスエリアを提供するかなりの数のセル（例えば、マクロセル、ピコセル、フェムトセルなど）を利用し得る。さらに、所定の地理的エリアについてサービスエリアを提供する各セルは、かなりの量の周波数帯域、サブキャリアなどに関して動作し得る。慣例的に、第１のセルに関連する端末は、第２のセル及び／又は第２のセルが動作する周波数が、第１のセル及び／又はその関連する周波数より有利であることが見出されると、第２のセルに切換える手順を開始できる。しかし、多数のセルに関連する密なネットワーク展開では、端末は、ある場合には、セル再選択を過剰に試み、電池損失、性能低下などが生じ得る。したがって、少なくとも上記欠点を軽減する無線通信システムにおいてセル再選択を管理する方法を実施することがさらに望ましい。
【発明の概要】
【０００８】
本出願は、２００８年８月５日に出願された「ＩＤＬＥ  ＭＯＤＥ  ＰＡＲＡＭＥＴＥＲＳ  ＦＯＲ  ＨｅＮＢ  ＤＥＴＥＣＴＩＯＮ  ＡＮＤ  ＣＡＭＰＩＮＧ」という名称の米国仮出願第６１／０８６，２２３号、２００８年８月５日に出願された「ＩＤＬＥ  ＭＯＤＥ  ＰＡＲＡＭＥＴＥＲＳ  ＦＯＲ  ＨｅＮＢ  ＤＥＴＥＣＴＩＯＮ  ＡＮＤ  ＣＡＭＰＩＮＧ」という名称の米国仮出願第６１／０８６，３３７号、２００８年９月９日に出願された「ＩＭＰＲＯＶＥＤ  ＳＥＡＲＣＨ  ＡＮＤ  ＳＥＬＥＣＴＩＯＮ  ＯＦ  ＣＬＯＳＥＤ  ＳＵＢＳＣＲＩＢＥＲ  ＧＲＯＵＰ（ＣＳＧ）ＦＥＭＴＯ  ＣＥＬＬＳ」という名称の米国仮出願第６１／０９５，６０１号、及び２００８年８月４日に出願された「ＳＹＳＴＥＭ  ＡＮＤ  ＭＥＴＨＯＤ  ＦＯＲ  ＥＮＨＡＮＣＥＤ  ＩＤＬＥ  ＨＡＮＤＯＦＦ  ＴＯ  ＳＵＰＰＯＲＴ  ＦＥＭＴＯ  ＣＥＬＬＳ」という名称の米国仮出願第６１／０８６，１１３号の利益を主張する。上述した出願は、参照によってその全体が本明細書に組み込まれる。
【０００９】
以下は、特許請求される主題の種々の態様の基本的な理解を提供するために、こうした態様の簡略化された概要を提示する。この概要は、考えられる全ての態様の広範囲の概観ではなく、また、キーの又は重要な要素を特定することも、こうした態様の範囲を制限することも意図されない。その唯一の目的は、後で提示されるより詳細な説明に対する前置きとして、簡略化された形態で開示される態様のいくつかの概念を提示することである。
【００１０】
ある態様によれば、方法が本明細書で述べられる。方法は、無線通信システム内のセルの選択に関連するランク付け基準を識別すること、セルが、関連する閉じた加入者グループ（Closed Subscriber Group）（ＣＳＧ）ホワイトリストに属することが知られているかどうかを判定すること、及び、判定することの結果に少なくとも部分的に基づいて、ランク付け基準に適用されるオフセット又はヒステリシスパラメータの少なくとも一方を選択することを含み得る。
【００１１】
ここに記述されているここに記述されている第２の態様は、無線通信装置に関しており、無線通信装置は、ネットワークセルに関連するデータ、ネットワークセルの選択に関連するランク付けメトリック、及び許可されたＣＳＧセルのリストを記憶するメモリを備え得る。無線通信装置はさらに、ネットワークセルが、許可されたＣＳＧセルのリストに属することが知られているかどうかの判定の結果に少なくとも部分的に基づいて、ネットワークセルの選択に関連するランク付けメトリックに適用されるオフセット又はヒステリシスパラメータの少なくとも一方を選択するように構成されたプロセッサを備え得る。
【００１２】
第３の態様は、装置に関しており、装置は、ネットワークセルの選択に関連するランク付けパラメータを識別する手段と、所定のネットワークセルのＣＳＧホワイトリストメンバーシップの判定に少なくとも部分的に基づいて、所定のネットワークセル用のランク付けパラメータに適用するオフセット又はヒステリシスパラメータを選択する手段とを備え得る。
【００１３】
ここに記述されているここに記述されている第４の態様は、コンピュータプログラム製品に関しており、コンピュータプログラム製品は、コンピュータ可読媒体を含むことができ、コンピュータ可読媒体は、無線通信システムにおいてセルの選択に関連するランク付け基準を識別することをコンピュータに行わせるコードと、セルのＣＳＧホワイトリストメンバーシップの判定に少なくとも部分的に基づいて、セルの選択に関連するランク付け基準に適用するオフセット又はヒステリシスパラメータを選択することをコンピュータに行わせるコードとを含む。
【００１４】
本明細書の第５の態様は、無線通信環境で動作可能な方法に関する。方法は、第１の再選択タイマ及び第２の再選択タイマを初期化することであって、第１の再選択タイマは、第２の再選択タイマの前に終了するように構成される、初期化すること、再選択プロシージャが行われるセルを識別すること、セルが、ホームノードＢ（ＨＮＢ）セルであるか、ホーム進化型ノードＢ（ＨｅＮＢ）セルであるかを判定すること、及び、判定することの結果に少なくとも部分的に基づいて、第１の再選択タイマの終了時又は第２の再選択タイマの終了時に起こるようにセルに対する再選択を構成することを含み得る。
【００１５】
第６の態様は、無線通信装置に関しており、無線通信装置は、再選択が行われるネットワークセルに関連するデータを記憶するメモリを備え得る。無線通信装置はさらに、第１の再選択遅延が第２の再選択遅延より短くなるように第１の再選択遅延及び第２の再選択遅延を構成し、再選択が行われるネットワークセルがＨＮＢであるか、ＨｅＮＢであるかを判定し、ネットワークセルがＨＮＢであるか、ＨｅＮＢであるかに少なくとも部分的に基づいて第１の再選択遅延又は第２の再選択遅延で起こるようにネットワークセルに対する再選択を構成するように構成されたプロセッサを備え得る。
【００１６】
ここに記述されているここに記述されている第７の態様は、無線通信システム内で動作可能な装置に関する。装置は、第１のセル選択タイマが、第２のセル選択タイマの前に終了するよう構成されるように、第１のセル選択タイマ及び第２のセル選択タイマを初期化する手段と、再選択が行われるネットワークセルを識別する手段と、ネットワークセルが、ＨＮＢセルであるか、ＨｅＮＢセルであるかに少なくとも部分的に基づいて第１のセル選択タイマ又は第２のセル選択タイマの終了時にネットワークセルに対する再選択を行う手段とを備え得る。
【００１７】
第８の態様は、コンピュータプログラム製品に関しており、コンピュータプログラム製品は、コンピュータ可読媒体を含むことができ、コンピュータ可読媒体は、第１のセル選択タイマが、第２のセル選択タイマの前に終了するよう構成されるように、第１のセル選択タイマ及び第２のセル選択タイマを初期化することをコンピュータに行わせるコードと、再選択が行われる無線通信システム内のセルを識別することをコンピュータに行わせるコードと、セルが、ＨＮＢセルであるか、ＨｅＮＢセルであるかに少なくとも部分的に基づいて第１のセル選択タイマ又は第２のセル選択タイマの終了時にセルに対する再選択を行うことをコンピュータに行わせるコードとを含む。
【００１８】
第９の態様は方法に関しており、方法は、無線通信システム内でセル再選択用の候補周波数を識別すること、提供されるサービス又はＣＳＧホワイトリストメンバーシップの少なくとも一方に基づいて望ましいとみなされるＣＳＧセルを候補周波数上で識別すること、識別されたＣＳＧセルが候補周波数上で最も高くランク付けされたセルであると判定されると、候補周波数上で、識別されたＣＳＧセルにキャンプオンする（camp on）ことの動作を含み得る。
【００１９】
ここに記述されているここに記述されている第１０の態様は、無線通信装置に関しており、無線通信装置は、再選択用の候補周波数及びＣＳＧホワイトリストに関連するデータを記憶するメモリを備え得る。無線通信装置はさらに、ＣＳＧセルであって、そのＣＳＧセルによって提供されるサービス又はＣＳＧホワイトリスト内のそのＣＳＧセルのメンバーシップの少なくとも一方に基づいて望ましいとみなされる、ＣＳＧセルを候補周波数上で識別し、候補周波数上で最も高くランク付けされたセルを識別し、ＣＳＧセルが、候補周波数上で最も高くランク付けされたセルであると判定されると、候補周波数上でＣＳＧセルにキャンプオンすることを始動するように構成されたプロセッサを備え得る。
【００２０】
第１１の態様は装置に関しており、装置は、セル選択用の候補周波数を識別する手段と、候補周波数上で、望ましいＣＳＧセルを識別する手段と、望ましいＣＳＧセルが、候補周波数上で最も高くランク付けされたセルであると判定されると、候補周波数上で、望ましいＣＳＧセルにキャンプオンする手段とを備え得る。
【００２１】
ここに記述されているここに記述されている第１２の態様は、コンピュータプログラム製品に関しており、コンピュータプログラム製品は、コンピュータ可読媒体を含むことができ、コンピュータ可読媒体は、セル再選択動作に関連する周波数を識別することをコンピュータに行わせるコードと、識別された周波数上で、望ましいＣＳＧセルを識別することをコンピュータに行わせるコードと、望ましいＣＳＧセルが、識別された候補周波数上で最も高くランク付けされたセルであると判定されると、識別された候補周波数上で、望ましいＣＳＧセルにキャンプオンすることをコンピュータに行わせるコードとを含む。
【００２２】
第１３の態様は方法に関しており、方法は、１つ又は複数のユーザの第１のセットにパラメータの第１のセットを提供することであって、パラメータの第１のセットは、ＣＳＧメンバーシップに基づいて、セル再選択のための１つ又は複数のユーザの第１のセットによって利用されるランク付け公式を修正する、提供すること、及び、１つ又は複数のユーザの第２のセットにパラメータの第２のセットを提供することであって、パラメータの第２のセットは、各ＨＮＢセル又はＨｅＮＢセルの選択に関して、１つ又は複数のユーザの第２のセットによって使用される再選択遅延を修正する、提供することを含み得る。
【００２３】
ここに記述されているここに記述されている第１４の態様は、無線通信装置に関しており、無線通信装置は、ＣＳＧメンバーシップに基づいて、セル再選択用のランク付け基準を修正するパラメータの第１のセット、及び、各ＨＮＢセル又はＨｅＮＢセルの選択に関して使用される再選択遅延を修正するパラメータの第２のセットに関連するデータを記憶するメモリを備え得る。無線通信装置はさらに、１つ又は複数のユーザの第１のセットにパラメータの第１のセットを伝達し、１つ又は複数のユーザの第２のセットにパラメータの第２のセットを伝達するように構成されたプロセッサを備え得る。
【００２４】
ここに記述されているここに記述されている第１５の態様は、装置に関しており、装置は、ＣＳＧメンバーシップに基づいて、セル再選択のために使用されるランク付け基準をオフセットさせるパラメータの第１のセットを指示する手段と、各ＨＮＢセル又はＨｅＮＢセルの選択に関して使用される再選択遅延を制御するパラメータの第２のセットを指示する手段とを備え得る。
【００２５】
本明細書の第１６の態様は、コンピュータプログラム製品に関しており、コンピュータプログラム製品は、コンピュータ可読媒体を含むことができ、コンピュータ可読媒体は、ＣＳＧメンバーシップに基づいてセル選択のために使用されるランク付け基準をオフセットさせるパラメータの第１のセットを通信することをコンピュータに行わせるコードと、各ＨＮＢセル又はＨｅＮＢセルの選択に関連するタイミングを制御するパラメータの第２のセットを通信することをコンピュータに行わせるコードとを含み得る。
【００２６】
先の目的及び関連する目的を達成するために、特許請求される主題の１つ又は複数の態様は、以降で完全に述べられ、また、特許請求の範囲で特に指摘される特徴を備える。以下の説明及び添付図面は、特許請求される主題のいくつかの例証的な態様を詳細に述べる。これらの態様は、特許請求される主題の原理が使用され得る種々の方法のうちのほんの少数の方法を示す。さらに、開示される態様は、全てのこうした態様及びその均等物を包含することが意図される。
【図面の簡単な説明】
【００２７】
【図１】種々の態様による無線通信システムにおいてセル選択を管理するシステムのブロック図。
【図２】種々の態様による、セル選択動作に関連してネットワークセルをランク付けするシステムのブロック図。
【図３】種々の態様による、各ネットワークセルに適用されるランク付けオフセットを識別するシステムのブロック図。
【図４】ここに記述されているここに記述されている種々の態様に従って識別され選択されたランク付けオフセットに基づくセル再選択の例を示す図。
【図５】ここに記述されているここに記述されている種々の態様に従って識別され選択されたランク付けオフセットに基づくセル再選択の例を示す図。
【図６】ここに記述されているここに記述されている種々の態様に従って識別され選択されたランク付けオフセットに基づくセル再選択の例を示す図。
【図７】種々の態様による、所定のネットワークセルのＣＳＧメンバーシップ状態を確定するシステムのブロック図。
【図８】種々の態様による、無線通信システムにおいて電力効率の高い（power-efficient）セル再選択を容易にするシステムのブロック図。
【図９】種々の態様によるセル再選択のための例示的なタイミング構成を示す図。
【図１０】種々の態様による、セル選択に関連して周波数解析を実施するシステムのブロック図。
【図１１】ネットワークセル選択のために利用されるセルランク付け基準に対してＣＳＧ固有のパラメータを適用する方法のフロー図。
【図１２】ネットワークセル選択のために利用されるセルランク付け基準に対してＣＳＧ固有のパラメータを適用する方法のフロー図。
【図１３】ネットワークセル選択のために利用されるセルランク付け基準に対してＣＳＧ固有のパラメータを適用する方法のフロー図。
【図１４】ネットワークセル再選択動作についてタイミングパラメータを構成し利用する方法のフロー図。
【図１５】ネットワークセルキャンピングのために利用される各周波数に優先順序付けする方法のフロー図。
【図１６】無線通信システム内で個々のセルキャンピング及び／又は選択パラメータを通信する方法のフロー図。
【図１７】無線通信システムにおいて改善されたセル探索及び／又は選択を容易にする装置のブロック図。
【図１８】無線通信システムにおいて改善されたセル探索及び／又は選択を容易にする装置のブロック図。
【図１９】無線通信システムにおいて改善されたセル探索及び／又は選択を容易にする装置のブロック図。
【図２０】無線通信システムにおいて改善されたセル探索及び／又は選択を容易にする装置のブロック図。
【図２１】ここに記述されているここに記述されている種々の態様による例示的な無線通信システムを示す図。
【図２２】ここに記述されているここに記述されている種々の態様が機能し得る例示的な無線通信システムを示すブロック図。
【図２３】ネットワーク環境内でのアクセスポイント基地局の展開を可能にする例示的な無線通信システムを示す図。
【発明を実施するための形態】
【００２８】
特許請求される主題の種々の態様が、ここで図面を参照して述べられ、図面では、同じ参照数字は、全体を通して同じ要素を参照するために使用される。以下の説明では、説明のために、１つ又は複数の態様の完全な理解を可能にするためにいくつかの特定の詳細が述べられる。しかし、こうした態様（複数可）は、これらの特定の詳細がない状態で実施されてもよいことが明らかである可能性がある。他の事例では、よく知られている構造及びデバイスは、１つ又は複数の態様の説明を容易にするためにブロック図の形態で示される。
【００２９】
本出願で使用されるように、用語「コンポーネント（component）」、「モジュール（module）」、「システム（system）」などは、コンピュータ関連のエンティティ、すなわち、ハードウェア、ファームウェア、ハードウェアとソフトウェアの組合せ、ソフトウェア、又は実行中のソフトウェア（software in execution）のいずれかを指すことを意図される。例えば、コンポーネントは、プロセッサ上で実行中のプロセス、集積回路、オブジェクト、エグゼキュータブル（executable）、実行の脈絡（thread of execution）、プログラム、及び／又はコンピュータであることができるが、それに限定されない。例証によれば、コンピューティングデバイス上で実行されるアプリケーション及びコンピューティングデバイスは、コンポーネントであり得る。１つ又は複数のコンポーネントがプロセス及び／又は実行の脈絡内に存在してもよく、あるコンポーネントが１台のコンピュータ上に局在してもよく、かつ／又は、２台以上のコンピュータ間に分散されてもよい。さらに、これらのコンポーネントは、種々のデータ構造が記憶されている種々のコンピュータ可読媒体から実行され得る。コンポーネントは、１つ又は複数のデータパケットを有する信号などによるローカルプロセス及び／又はリモートプロセスによって通信し得る（例えば、１つのコンポーネントからのデータは、ローカルシステム内で、分散システム内で、かつ／又は他のシステムを有するインターネットなどのネットワークにわたって、別のコンポーネントと、信号によって相互作用する）。
【００３０】
さらに、種々の態様は、無線端末及び／又は基地局に関連して本明細書で述べられる。無線端末は、ユーザに対して音声及び／又はデータ接続性を提供するデバイスを指し得る。無線端末は、ラップトップコンピュータ又はデスクトップコンピュータなどのコンピューティングデバイスに接続され得るか、又は、携帯情報端末（ＰＤＡ）などの自己完結型デバイスであり得る。無線端末はまた、システム、加入者ユニット、加入者局、移動局、移動体、リモート局、アクセスポイント、リモート端末、アクセス端末、ユーザ端末、ユーザエージェント、ユーザデバイス、又はユーザ機器（ＵＥ）と呼ばれ得る。無線端末は、加入者局、無線デバイス、携帯電話、ＰＣＳ電話、コードレス電話、セッションイニシエーションプロトコル（Session Initiation protocol）（ＳＩＰ）電話、無線ローカルループ（wireless local loop）（ＷＬＬ）局、携帯情報端末（ＰＤＡ）、無線接続能力を有する手持ち式デバイス、又は無線モデムに接続される他の処理デバイスであり得る。基地局（例えば、アクセスポイント又はノードＢ）は、エアインタフェースを通じて、１つ又は複数のセクタを通して、無線端末によって通信するアクセスネットワーク内のデバイスを指し得る。基地局は、受信されたエアインタフェースフレームをＩＰパケットに変換することによって、無線端末と、インターネットプロトコル（Internet Protocol）（ＩＰ）ネットワークを含み得るアクセスネットワークの残りとの間のルータとして働き得る。基地局はまた、エアインタフェースのための属性の管理を調整する。
【００３１】
さらに、本明書で述べる種々の機能は、ハードウェア、ソフトウェア、ファームウェア、又はその任意の組合せで実装されてもよい。ソフトウェアで実装される場合、機能は、コンピュータ可読媒体上の１つ又は複数の命令又はコードとして、格納されるか、又は、送信されてもよい。コンピュータ可読媒体は、コンピュータ記憶媒体と、１つの場所から別の場所へのコンピュータプログラムの転送を容易にする任意の媒体を含む通信媒体の両方を含む。記憶媒体は、コンピュータによってアクセスされ得る任意の利用可能な媒体であり得る。制限するのではなく、例を挙げると、こうしたコンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶デバイス、あるいは、所望のプログラムコードを命令又はデータ構造の形態で搬送するか又は記憶するために使用されることができ、かつ、コンピュータによってアクセスされ得る任意の他の媒体を含み得る。同様に、任意の接続は、当然、コンピュータ可読媒体と呼ばれる。例えば、ソフトウェアが、同軸ケーブル、光ファイバケーブル、ツイストペア、デジタル加入者線（digital subscriber line）（ＤＳＬ）、又は、赤外線、無線、及びマイクロ波などの無線技術を使用して、ウェブサイト、サーバ、又は他のリモートソースから送信される場合、同軸ケーブル、光ファイバケーブル、ツイストペア、ＤＳＬ、又は、赤外線、無線、及びマイクロ波などの無線技術は、媒体の定義に含まれる。本明細書で使用されるディスク（disk）及びディスク（disc）は、コンパクトディスク（ＣＤ）、レーザディスク、光ディスク、デジタル多用途ディスク（ＤＶＤ）、フロッピディスク、及びブルーレイディスク（ＢＤ）を含み、ディスク（disks）は、通常、データを磁気的に再生し、一方、ディスク（discs）は、レーザによってデータを光学的に再生する。上記の組合せもまた、コンピュータ可読媒体の範囲内に含まれるべきである。
【００３２】
ここに記述されているここに記述されている種々の技法は、符号分割多元接続（Code Division Multiple Access）（ＣＤＭＡ）システム、時分割多元接続（Time Division Multiple Access）（ＴＤＭＡ）システム、周波数分割多元接続（Frequency Division Multiple Access）（ＦＤＭＡ）システム、及び直交周波数分割多元接続（Orthogonal Frequency Division Multiple Access）（ＯＦＤＭＡ）システム、及び単一搬送波ＦＤＭＡ（ＳＣ−ＦＤＭＡ）システムなどの種々の無線通信システム、ならびに他のこうしたシステムのために使用され得る。用語「システム（system）」及び「ネットワーク（network）」は、本明細書で交換可能に使用されることが多い。ＣＤＭＡシステムは、ユニバーサル陸上無線アクセス（Universal Terrestrial Radio Access）（ＵＴＲＡ）、ＣＤＭＡ２０００などのような無線技術を実装し得る。ＵＴＲＡは、広帯域ＣＤＭＡ（Ｗ−ＣＤＭＡ）及びＣＤＭＡの他の変形を含む。さらに、ＣＤＭＡ２０００は、ＩＳ−２０００、ＩＳ−９５、及びＩＳ−８５６規格をカバーする。ＴＤＭＡシステムは移動通信のグローバルシステム（Global System for Mobile Communication）（ＧＳＭ（登録商標））などの無線技術を実装し得る。ＯＦＤＭＡシステムは、進化型（Evolved）ＵＴＲＡ（Ｅ−ＵＴＲＡ）、ウルトラモバイルブロードバンド（Ultra Mobile Broadband）（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などのような無線技術を実装し得る。ＵＴＲＡ及びＥ−ＵＴＲＡは、ユニバーサル移動体通信システム（Universal Mobile Telecommunication System）（ＵＭＴＳ）の一部である。３ＧＰＰロングタームエボリューション（Long Term Evolution）（ＬＴＥ）は、ダウンリンク上でＯＦＤＭＡを、アップリンク上でＳＣ−ＦＤＭＡを使用するＥ−ＵＴＲＡを使用するこれからのリリースである。ＵＴＲＡ、Ｅ−Ｕ
ＴＲＡ、ＵＭＴＳ、ＬＴＥ、及びＧＳＭは、「第３世代パートナーシッププロジェクト（3rd Generation Partnership Project）」（３ＧＰＰ）と名付けられた組織からの文書に記載されている。さらにＣＤＭＡ２０００及びＵＭＢは、「第３世代パートナーシッププロジェクト２（3rd Generation Partnership Project 2）」（３ＧＰＰ２）と名付けられた組織からの文書に記載されている。
【００３３】
種々の態様は、いくつかのデバイス、コンポーネント、モジュールなどを含み得るシステムによって提示されるであろう。種々のシステムが、さらなるデバイス、コンポーネント、モジュールなどを含むことができる、かつ／又は、図に関連して説明されるデバイス、コンポーネント、モジュールの全てを含むことができないことが理解され認識される。これらの手法の組合せもまた使用され得る。
【００３４】
ここで図を参照して、図１は、ここに記述されているここに記述されている種々の態様による無線通信システムにおいてセル選択を管理するシステム１００を示す。図１が示すように、システム１００は、１つ又は複数のネットワークセル１３０と通信し得る１つ又は複数のユーザ機器ユニット（ＵＥ）１１０を含み得る。一実施例では、各ネットワークセル１３０は、マクロセル、フェムトセル（例えば、アクセスポイント基地局、ホームノードＢ（ＨＮＢ）セル、ホーム進化型ノードＢ（ＨｅＮＢ）セルなど）などの任意の適したタイプ（複数可）、及び／又は任意の適したサービスエリアに対応する任意の他の適したタイプであり得る。一実施例では、ＵＥ１１０は、１つ又は複数のセル１３０に対して１つ又は複数のアップリンク（ＵＬ、リバースリンク（reverse link）（ＲＬ）とも呼ばれる）通信を行うことができ、各セル１３０は、ＵＥ１１０に対して１つ又は複数のダウンリンク（ＤＬ、フォワードリンク（forward link）（ＦＬ）とも呼ばれる）通信を行うことができる。システム１００は、進化型ユニバーサル陸上無線アクセスネットワーク（Evolved Universal Terrestrial Radio Access Network）（Ｅ−ＵＴＲＡＮ）及び／又は任意の他の適したネットワーク実施態様（複数可）に相当し得る。
【００３５】
一態様によれば、１つ又は複数のセル１３０がＨＮＢセル（例えば、ＨＮＢセル、ＨｅＮＢセルなど）である場合、いくつかのＵＥ１１０は、許可された閉じた加入者グループ（ＣＳＧ）セルのホワイトリストを供給され得る。本明細書でまた当技術分野で一般に使用されるように、ＣＳＧは、所定のネットワークオペレータに関連するネットワーク（例えば、公衆陸上移動体ネットワーク（public land mobile network）（ＰＬＭＮ））に対応する、アクセスが制限された各ネットワークセルを使用することを許可された各ＵＥ及び／又は他の加入者を（例えば、ＣＳＧ識別子（ＩＤ）に基づいて）識別する。さらに、本明細書で使用される用語「ＣＳＧセル（CSG cell）」は、ＣＳＧセルとしてその状態を示し、ＣＳＧアイデンティティを提供するセルを指す。一実施例では、ＣＳＧセルは、セルのＣＳＧ  ＩＤが、ＵＥに関連するＣＳＧホワイトリスト１２０内にある場合に、所定のＵＥだけによって使用されるように構成され得る。さらに、本明細書で一般に利用される用語「ＨＮＢ」又は「ＨＮＢセル」が、ＨＮＢ、ＨｅＮＢ、及び／又は任意の他の同様でかつ適切なセルタイプを一般に指すことを意図され、別途明確に述べられない限り、任意の単一の特定のセルタイプに制限することを意図されないことが認識されるべきである。
【００３６】
一実施例では、ＵＥ１１０が、そのＣＳＧホワイトリスト１２０内にセル１３０に対応する所定のＣＳＧ  ＩＤを有する場合、種々の特別な支払いの及び／又は他のサービス利益が、セル１３０に関連する、かつ／又は、セル１３０によってその他の方法で利用可能にされるサービス供給モジュール１３２によって提供され得る。さらなる実施例では、ＵＥ１１０は、ＵＥ１１０がＣＳＧセルのサービスエリア下にあるという、かつ／又は、ＣＳＧセルの特別な利益が利用可能であるというアイコン及び／又は他の指示を表示するように構成され得る。
【００３７】
一態様によれば、ＵＥ１１０は、１つ又は複数のセル１３０に関する制御及び／又はデータ通信に積極的に関わり得る、かつ／又は、ＵＥ１１０が各セル１３０に関連するページング及びオーバヘッドチャネルを監視するアイドルモードで動作し得るが、専用データ又は制御チャネルを割当てられていない。一実施例では、ＵＥ１１０は、アイドルモードで動作しながら、（本明細書で、「キャンプされたセル（camped cell）」と呼ばれる）所定のセル１３０に関連する、又は、「キャンプする（camp）」ことができ、ＵＥ１１０は、キャンプされたセルからのシステム情報、ページング情報、及び／又は他の適した情報を監視する。別の実施例では、ＵＥ１１０は、セル選択又は再選択ルールの予め構成されたセットに基づいてキャンプすべきセル１３０を選択し得る。付加的に又は別法として、所定のセル１３０がＣＳＧセルである場合、そのセルに関連するＣＳＧ  ＩＤが、ＵＥ１１０に関連するＣＳＧホワイトリスト１２０内に設けられる１つ又は複数のＣＳＧ  ＩＤに一致すると判定されると、ＵＥ１１０は、そのセルだけにキャンプオンするように構成され得る。
【００３８】
少なくとも上記目的の促進のために、ＵＥ１１０は、キャンピング用の各セル１３０の望ましさを確認しランク付けするために利用され得るセルランク付けモジュール１１２及びセルランク付けモジュール１１２によって指示される所定のセル１３０に対する再選択を容易にするセル再選択モジュール１１４を含み得る。一実施例では、セルランク付けモジュール１１２は、各セル１３０に対応するランク付け基準（又は、「Ｒ値」）を計算することによって各セルをランク付けすることができ、ランク付け基準に基づいて、セル再選択モジュール１１４は、キャンピング用の最も大きなＲ値を有するセル１３０の選択を容易にし得る。
【００３９】
ここに記述されている種々の態様によれば、セルランク付けモジュール１１２、セル再選択モジュール１１４、及び／又はＵＥ１１０の任意の他の適したコンポーネント（複数可）は、ＵＥ１１０がＨＮＢセルにキャンプオンすることが許可される時間量が増加するように構成され得る。これは、例えば、システム１００内のＣＳＧセルについて計算されたランク付け基準を修正するためにネットワークによって構成され得る各バイアス及び／又はヒステリシス値を提供することによって達成され得る。一実施例では、各ランク付け基準オフセットは、ＣＳＧセルがＵＥ１１０のＣＳＧホワイトリスト１２０内にある場合とＣＳＧセルがＣＳＧホワイトリスト１２０内にない場合の両方のために構成され得る。
【００４０】
ここに記述されているさらなる態様によれば、再選択タイミングモジュール１１６及び／又は他の適したメカニズムが、システム１００内のセル選択プロシージャに関連してＨＮＢ固有のタイマの使用を容易にするために、ＵＥ１１０に設けられ得る。例えば、ＨＮＢ固有の再選択タイマを設けることによって、再選択タイミングモジュール１１６は、各ＨＮＢから過剰のシステム情報メッセージを読み取ることに慣習的に伴う電力をＵＥ１１０が節約することを可能にすることによって、ＵＥ１１０が電池寿命をよりよく管理することを可能にし得る。再選択タイミングモジュール１１６をこのように使用することによって実現される電力節約は、例えばＵＥ１１０が比較的短期間の間に複数のＨＮＢセルを訪れるシナリオでは有意であり得ることが認識され得る。
【００４１】
ここに記述されているさらなる態様によれば、ＵＥ１１０は、さらに、周波数解析モジュール１１８を備えることができ、周波数解析モジュール１１８は、セル再選択において改善された周波数解析を実施するためにＵＥ１１０によって利用されて、望ましくないセル変更を回避し、対応するスループット及び電力効率利得（gain）を実現し得る。セルランク付けモジュール１１２、セル再選択モジュール１１４、再選択タイミングモジュール１１６、及び周波数解析モジュール１１８がそれによって利用され得る各技法は、本明細書でさらに詳細に述べられる。さらに、ＵＥ１１０は、ここに記述されている機能の一部及び／又は全てを実施するためにプロセッサ１２２及び／又はメモリ１２４を利用し得る。
【００４２】
別の態様によれば、ＵＥ１１０は、１つ又は複数のセル１３０のパラメータ通信モジュール１３４及び／又は他の適したコンポーネントによって提供される各パラメータに基づいてここに記述されている１つ又は複数の技法を実施し得る。こうしたパラメータは、例えば、ＣＳＧメンバーシップに基づくセル再選択のために各ＵＥ１１０によって利用されるランク付け公式又は基準を修正する各パラメータ、ＨＮＢセルの選択に関して各ＵＥ１１０によって使用される再選択遅延を修正する各パラメータなどを含み得る。一実施例では、システム１００内の各セルは、ＵＥ１１０のプロセッサ１２２及び／又はメモリ１２４と同様の方法で、ここに記述されている一部の又は全てのネットワーク機能を実装するためにプロセッサ１２２及び／又はメモリ１２４を利用し得る。さらに、モジュール１３２〜１３４、プロセッサ１２２、及びメモリ１２４は、簡潔にするために図１においてただ１つのセル１３０内にあるように示されるが、こうしたコンポーネントは、システム１００内の任意の適したセル又は他のエンティティによって利用され得ることが認識されるべきである。
【００４３】
ここで図２を参照すると、種々の態様による、セル選択動作に関連してネットワークセルをランク付けするシステム２００のブロック図が示される。図２が示すように、システム２００は、セルランク付けモジュール１１２を含むことができ、セルランク付けモジュール１１２は、関連装置（例えば、ＵＥ１１０）によってキャンピングするために、ネットワークセルの選択及び再選択を容易にするようにセル再選択モジュール１１４と協調して働き得る。
【００４４】
一実施例では、システム２００に関連するデバイスは、所定のノードＢにキャンプオンし、（例えば、ＣＳＧホワイトリスト１２０によって与えられる）その好ましいＣＳＧ  ＨＮＢのサービスエリアに近づくように移動し得る。慣習的に、セル再選択モジュール１１４が別のＨＮＢに対して再選択するポイントは、セルランク付けモジュールによって計算されたランクの関数として与えられ得ることが認識され得る。そのため、セル再選択モジュール１１４は、候補セルに適用されるランクメトリックｎ（例えば、Ｒn）が、現在キャンプされているセルに適用されるランクメトリック（例えば、Ｒs）より大きいときに、ネットワークセルの再選択を容易にし得る。これは、
Qmeas,n -  Qoffset,n(HNB) > Qmeas,NB + Qhyst(NB), 又は
Qmeas,n > Qmeas,NB + Qhyst(NB) + Qoffset,n(HNB),
として表現され得る。ここで、Ｑmeas,nは候補セルからの測定された信号強度であり、Ｑmeas,nは現在キャンプされているノードＢ（ＮＢ）からの測定された信号強度であり、Ｑhystは、現在キャンプされているノードＢのＲ値を増加させ、頻繁でかつ不必要なセル再選択をあきらめさせるように設計されているヒステリシス値（ｄＢ単位）であり、Ｑoffset,nは、候補セルのＲ値を修正するために候補セルに適用されるオフセット値である。一実施例では、Ｑoffset,n及びＱhystは、システム２００に関連するネットワークが、それらの対応するセルＩＤに基づいて各セルについて設定し得る１セル当たりの（per-cell）オフセットとして構成され得る。セルＩＤは、例えば、物理的セルＩＤ（ＰＣＩ）パラメータ、１次同期コード（primary synchronization code）（ＰＳＣ）パラメータ、ＣＳＧ  ＩＤパラメータなどに対応し得る。
【００４５】
上記の従来のセル再選択手順に関して、前記手順がＣＳＧセルと他のタイプの候補セルとを区別しないことが認識され、こうした手順を使用することは、システム２００に関連する装置が、キャンプされたセル(camped cell)に関連するエリアから好ましいＨＮＢのサービスエリアへ移動している間に、（例えば、現在キャンプされているセルのヒステリシスのために）好ましいＨＮＢの遅延した選択をもたらし得ることが認識され得る。結果として、好ましいＨＮＢの利益を得るときにユーザに提供される機会の総量は減少することが認識され得る。さらに、こうしたパラメータが、ネットワーク内の全てのＵＥについて共通であり、特定のＨＮＢからのサービスを好む、かつ／又は、特定のＨＮＢにその他の方法でアクセスし得る所定のＵＥに固有でないため、上記欠点は、単にＱoffset,n（ＨＮＢ）の値を調整することによって軽減されることができないことが認識され得る。
【００４６】
一態様によれば、システム２００は、セルランク付けモジュールが、各ネットワークセルのＣＳＧメンバーシップに基づいて各ネットワークセルに関連するランク付けをオフセットさせることを可能にすることによって、少なくとも上記欠点を克服し、好ましいネットワークセルの即時選択を可能にし得る。一実施例では、セルランク付けモジュール１１２は、候補ネットワークセルに対する考えられる再選択に関連してセル識別子２１２を利用し得る。セル識別子２１２は、候補セルがＣＳＧホワイトリスト１２０に属することが知られているかどうかを決定するために、例えば、候補ネットワークセルに関連する識別情報を関連するＣＳＧホワイトリスト１２０及び／又は他の情報と比較し得る。この決定に基づいて、ランク付けオフセットモジュール２１４は、ＣＳＧ固有のオフセット及び／又はヒステリシス情報を、ヒステリシスモジュール２１６及び／又は候補セルランク付けモジュール２１８に提供するために利用され得る。ヒステリシスモジュール２１６及び／又は候補セルランク付けモジュール２１８によって提供されるセルランク付けに基づいて、セル再選択モジュール１１４は、その後、適切な状況下で新しいキャンプされたセルへの移行を容易にするために利用され得る。
【００４７】
別の態様によれば、ランク付けオフセットモジュール２１４は、関連するセル選択プロシージャの特質に基づいて、考えられるパラメータのセットから選択される１つ又は複数のランク付けオフセット及び／又はヒステリシスパラメータを適用し得る。これは、図３のシステム３００によってさらに詳細に示される。図３が示すように、ＣＳＧホワイトリスト１２０に関連するセル識別子１１２による各決定に基づいて、ランク付けオフセットモジュール２１４は、許可されたセルについてのＣＳＧ固有のオフセット３０２、ＣＳＧ固有の許可されていないセルオフセット３０４、ＣＳＧ固有の不確定のセルオフセット３０６、及び／又はＣＳＧ固有のヒステリシスパラメータ３０８の１つ又は複数を適用し得る。パラメータ３０２〜３０８が導出され得る、かつ／又は、適用され得る例示的な技法は、以下の説明でさらに詳細に述べられる。
【００４８】
図２に戻ると、候補セルランク付けモジュール２１８は、次の通りに、ＣＳＧホワイトリスト１２０内の候補セルのメンバーシップに基づいて再選択のための候補セル用のランク付け基準を計算し得る。例えば、ＣＳＧホワイトリスト１２０内のＣＳＧセルであり、かつ、システム２００に関連するデバイスの現在のサービングセルでないセルｎの場合、セルｎのランク付け基準は、次の通りに修正され得る。
【００４９】
Rn = Qmeas,n - Qoffset,CSG,
ここで、Ｑoffset,CSG（例えば、オフセットパラメータ３０２）は、キャンプされたノードＢからＣＳＧホワイトリスト１２０内のＣＳＧ  ＨＮＢへの外向きヒステリシスを、Ｑhystから（Ｑhyst＋Ｑoffset,CSG）まで減少させることによって利用される、システム２００に知られているパラメータである。一態様によれば、オフセットＱoffset,CSGは、種々の方法で、システム２００及び／又はシステム２００に関連するデバイスに通信され得る。例えば、オフセットは、システム情報ブロック（system information block）（ＳＩＢ）として、システム２００のためにサービングセルによって通知され（advertise）得る。別の実施例では、オフセットは、例えばIdleModeMobilityControlInfo IEなどの１つ又は複数の適切な情報要素（information element）（ＩＥ）を通して、接続が閉じるときにシステム２００に通信され得る。一実施例では、Ｑoffset,CSGは、１ｄＢのステップで−３ｄＢと０ｄＢとの間の範囲の値、及び／又は、任意の他の適した値であり得る。
【００５０】
一態様によれば、上記方法でＱoffset,CSGを利用することは、関連するＵＥが、従来のセル選択技法に関連する選択と比べて、より速い時間におけるＣＳＧホワイトリスト１２０内のＣＳＧ  ＨＮＢの選択を好むことを可能にし、それにより、ＵＥがＨＮＢでキャンプするエリアが増加し得る。これは、図４の線図４００によって示され、ＨＮＢ再選択に対するＮＢについての再選択境界が、Ｑoffset,CSGのために外にシフトされる。ＨＮＢ再選択に対するＮＢについての再選択境界がシフトされる程度が、Ｑoffset,CSGの大きさによって制御され得ることが認識され得る。
【００５１】
一実施例では、Ｑoffset,CSGは、その関連するＣＳＧホワイトリスト１２０内にセルを有するＵＥだけによって、所定のセルについて適用されるように構成され得るため、他の全てのＵＥは、セルに関して代替のランク付け技法を利用するように構成される。付加的に又は別法として、Ｑoffset,CSGは、システムに関連する全てのＵＥに通信されるシステム全体のパラメータ、及び／又は、各ＵＥ又はＵＥのグループについて個々に計算され、それらに個々に信号送信されるカスタム調節されたパラメータであり得ることが認識され得る。
【００５２】
別の態様によれば、システム２００に関連する装置は、許可されたＣＳＧセル（例えば、ＣＳＧホワイトリスト１２０内に設けられたＣＳＧセル）からサービスを受信することを好み得るが、装置は、ある場合には、ＣＳＧホワイトリスト１２０以外にあるＣＳＧセルからサービスを受信できない可能性があることが認識され得る。したがって、候補セルランク付けモジュール２１８は、付加的に又は別法として、許可されていないセルについて別個のオフセットを利用することによって、許可されていないセルのランク付けを下げるために利用され得る。より詳細には、ＣＳＧホワイトリスト１２０内にあることが知られていないＣＳＧセルでかつシステム２００に関連する装置についての現在サービス中セルでないセルｎの場合、セルｎのランク付け基準は、次の通りに修正され得る。
【００５３】
Rn = Qmeas,n -  Qoffset,NotAllowedCSG,
ここで、Ｑoffset,NotAllowedCSG（例えば、オフセットパラメータ３０４）は、キャンプノードＢからＣＳＧホワイトリスト１２０内にあることが知られていないＣＳＧ  ＨＮＢへの外向きヒステリシスを増加させるために利用される、システム２００に知られているパラメータである。一態様によれば、オフセットＱoffset,NotAllowedCSGは、Ｑoffset,CSGに関して上述した方法と同様の１つ又は複数の方法でシステム２００及び／又はシステム２００に関連する装置に通信され得る。一実施例では、Ｑoffset,NotAllowedCSGは、１ｄＢのステップで０ｄＢと３ｄＢとの間の範囲の値、及び／又は、任意の他の適した値であり得る。
【００５４】
一実施例では、Ｑoffset,NotAllowedCSGは、関連するＵＥが、従来のセル選択技法と比較して、ＣＳＧホワイトリスト１２０内にないＣＳＧ  ＨＮＢの選択が試みられる半径を減少させることを可能にする。これは、図５の線図５００によって示され、ＨＮＢ再選択に対するＮＢについての再選択境界が、Ｑoffset,NotAllowedCSGのために内にシフトされる。一実施例では、ＨＮＢ再選択に対するＮＢについての再選択境界がシフトされる程度は、Ｑoffset,NotAllowedCSGの大きさによって制御され得る。
【００５５】
上記実施例に関して、オフセットＱoffset,NotAllowedCSGは、ＣＳＧホワイトリスト１２０内にあることが知られていないセルに関連するランク付け基準を修正するために利用され得ることが認識され得る。あるいは、他の形態のオフセットパラメータが利用され得ることがさらに認識され得る。例えば、第１のオフセットＱoffset,NotAllowedCSGは、ＣＳＧホワイトリスト１２０内にあることが知られていないＣＳＧセルについて利用され、一方、第２のオフセットＱoffset,IndeterminateCSG（例えば、オフセットパラメータ３０６）は、（例えば、セルに関連するＣＳＧ  ＩＤを読み取ることを控える結果として、かつ／又は、他の理由で）対応するＣＳＧメンバーシップ状態が知られていないセルについて利用され得る。
【００５６】
さらなる態様によれば、システム２００は、付加的に又は代替的に、ＣＳＧ固有のヒステリシスを容易にするために利用されることができ、ＵＥ及び／又はシステム２００に関連する他の装置が、現在キャンプされているセルから別のネットワークセルへ切換える半径は、現在キャンプされているセルのＣＳＧメンバーシップに基づいて修正される。例えば、ＣＳＧ固有のヒステリシスは、前記ＨＮＢから別のノードＢへの再選択において、特定のＨＮＢを好むＵＥに対してＨＮＢサービスが利用可能なエリアを拡大するために利用され得る。
【００５７】
慣例的に、関連するＣＳＧホワイトリスト内のＨＮＢにキャンプオンしかつ別のノードＢ（ｎ）のサービスエリアに近づくＵＥの場合、ノードＢ  ｎ（例えば、Ｒn）に適用されるランクメトリックが、キャンプオンされたＨＮＢ（例えば、Ｒs）に適用されるランクメトリックより大きいポイントで、ＵＥは、キャンプＨＮＢからノードＢ  ｎへ再選択することになる。これは、次の通りに表現され得る。
【００５８】
Qmeas,n -  Qoffset,n(NB) > Qmeas,HNB + Qhyst(HNB).
上記パラメータは特定のＵＥに固有ではないため、ＨＮＢを好む第１のＵＥ及びＨＮＢを好まない第２のＵＥは共に、上記比較に基づいて同時に再選択を実施することになることが認識され得る。しかし、第１のＵＥは現在キャンプされているＨＮＢを好み、第２のＵＥは好まないため、各ＵＥが再選択について異なるルールを利用することを可能にすることが望ましいことが認識され得る。特に、ノードＢ  ｎの強度がＨＮＢの強度よりずっと強くなるまで再選択が実施されない第１のＵＥにおけるルール及びノードＢ  ｎとＨＮＢとの間での観測される強度差がより小さいときに再選択が実施される第２のＵＥにおけるルールを実施することが望ましいことになる。さらに、前記パラメータが、全てのＵＥについて共通であり、特定のＨＮＢからのサービスを好むＵＥに固有でないため、上記目的は、単にＱoffset,n（ＮＢ）を調整することによって達成されることができないことが認識され得る。
【００５９】
少なくとも上記目的の促進のために、ヒステリシスモジュール２１６及び／又はセルランク付けモジュール１１２に関連する他の適したメカニズムは、ＵＥ固有のヒステリシス値Ｑhyst（ＨＮＢ）（例えば、パラメータ３０８）を利用することができ、ヒステリシス値Ｑhystは、ヒステリシスモジュール２１６に関連する装置が、好ましいＨＮＢに関連したままになり得る半径を増加させるために、ヒステリシスモジュール２１６によって利用され得る。一実施例では、ＨＮＢセルは、Ｑoffset,CSG及びＱoffset,NotAllowedCSGに関して上述した方法と同様である１つ又は複数の方法で各ヒステリシスパラメータを通知し得る。これらのヒステリシスパラメータは、例えば、そのホワイトリスト内にＨＮＢセルを有さないＵＥによって利用され得るパラメータＱhyst、そのホワイトリスト内にＨＮＢセルを有するＵＥによって利用され得るパラメータＱhyst,CSG、及び／又は任意の他の適したパラメータを含み得る。別の実施例では、所定のＨＮＢによって通知されるヒステリシスパラメータは、Ｑhyst<Ｑoffset,CSGであるように構成されることができ、それにより、ＨＮＢが、対象となる各ＵＥについてその有効なサービスエリアを増加させることが可能になる。これは、図６の線図６００によってさらに詳細に示される。
【００６０】
上記説明及び図２〜６を考慮して、Ｑhyst,CSG及びＱoffset,CSGなどの各ＣＳＧ固有のパラメータを設定することによって、ＵＥは、より多くの割合のサービスエリアでその好ましいＣＳＧセルからサービスを得ることが可能になり得ることが観測され得る。一実施例では、再選択間の総合ヒステリシス（例えば、ＮＢからＨＮＢへの再選択境界とＨＮＢからＮＢへの再選択境界との間の距離の差）は、「ピンポン（ping-pong）」再選択（例えば、セルＡからセルＢへの再選択とそれに続くセルＡに戻る再選択）をもたらし得る信号強度変動量が、ＣＳＧメンバーシップによらず各ＵＥについて実質的に同じであるように実質的に一定に保持され得る。これは、例えば、次の通りにＱhyst,CSGの値を暗黙的に設定することによって行われ得る。
【００６１】
Qhyst,CSG = Qhyst + Qoffset,n(HeNB) - Qoffset,CSG.
こうした実施例では、各ＵＥが、Ｑhyst,CSGを独立に計算するのに十分な情報を有する場合、Ｑhyst,CSGは、ある場合には、各ＵＥに信号送信されない可能性があることが認識され得る。
【００６２】
次に図７を考えて、種々の態様による、所定のネットワークセルのＣＳＧメンバーシップ状態を確定するシステム７００のブロック図が示される。一実施例では、システム７００によって確定されるＣＳＧメンバーシップは、上述したように、かつ／又は、任意の他の適した使用（複数可）のために各ＣＳＧ固有のパラメータの適用に関する決定を行うために利用され得る。
【００６３】
先に提供された種々の態様によれば、各ＣＳＧ固有のオフセットパラメータ（例えば、Ｑoffset,CSG、Ｑoffset,NotAllowedCSGなど）は、ＣＳＧセルのためにだけ適用可能であるように構成され得る。したがって、特定のセルｎがこうしたオフセットから利益を受け得るかどうかを決定するために、ＣＳＧセル識別子２１２は、そのセルのＣＳＧアイデンティティを読み取るように利用されることができ、ＣＳＧアイデンティティに基づいて、ＣＳＧホワイトリスト比較器７１２は、セルが関連するＣＳＧホワイトリスト７２０内にあるかどうかを決定し得る。一実施例では、セル識別子１１２は、ある場合には、遭遇する全てのセル（例えば、フェムトセル、マクロセルなど）のＣＳＧ  ＩＤを読み取るように構成され得る。あるいは、セル識別子１１２は、電池寿命を節約するために、ここに記述されている種々の方法でＣＳＧ  ＩＤのサブセットだけを読み取るように構成され得る。例えば、ネットワークセル及び／又は別の適したネットワークエンティティは、セル識別子１１２が、マクロセル及び他の非ＣＳＧセルに対応するＣＳＧ  ＩＤを読み取ることを回避できるように、セル識別子（例えば、ＰＣＩ値、ＰＳＣなど）のあるセットが、ＣＳＧセルのために予約されていることをセル識別子１１２に信号送信し得る。代替の実施例では、セル識別子１１２は、ＣＳＧセル識別子２１２が、知られているセルだけのＣＳＧ  ＩＤを読み取るように構成され得るように、ＣＳＧホワイトリスト１２０内のＣＳＧセルに対応するセル識別子の事前知識を有し得る。
【００６４】
さらなる実施例では、セル識別子１１２は、現在のネットワークロケーションに関連する指紋を得るために、システム指紋解析器７１４を利用し得る。指紋は、例えば、セル識別子１１２が特定のロケーション内にあることを指示する、種々のノードＢから受信される信号のパターンを含み得る。システム指紋解析器７１４は、物理的又は大域的セル識別子（複数可）、（例えば、全地球測位システム（global positioning system）（ＧＰＳ）メカニズムなどによって得られる）トラッキングエリア（複数可）、信号強度（複数可）、及び／又は指紋を形成する他の適したメトリックを利用し得る。その後、こうした指紋に基づいて、セル識別子１１２は、セル識別子１１２がおそらくＣＳＧホワイトリスト１２０内のＣＳＧセルの近くにいることを決定し得る。この決定に基づいて、ＣＳＧセル識別子２１２は、再選択のために調べられている各セルのＣＳＧ  ＩＤを読み取り得る。一実施例では、ＣＳＧ  ＩＤが読み取られないセルの場合、ＣＳＧホワイトリスト比較器７１２は、セルがＣＳＧホワイトリスト１２０に属していないと仮定し得る。
【００６５】
先に提供された各態様を考慮して、セル識別子１１２によって利用され得る例示的な動作プロシージャが次の通りに述べられる。しかし、以下の説明が、利用され得るプロシージャの一実施例として提供されるに過ぎないこと、及び、添付特許請求の範囲が、別途明示的に述べられない限り、こうした実施例に限定されることを意図されないことが認識されるべきである。一実施例では、アイドルモードセル再選択が始まると、ランク付けがそれについて評価される候補セルｎが識別され得る。その後、候補セルｎがＣＳＧであるかＨＮＢセルであるか、ＣＳＧ固有のオフセットが、セル識別子１１２に知られているかどうかについての決定が行われ得る。候補セルｎがＣＳＧ又はＨＮＢセルであることがわからず、かつ／又は、ＣＳＧ固有のオフセットが、セル識別子１１２に知られていない場合、ランクメトリックが、システム全体のランク付けオフセット及びヒステリシスパラメータに基づいて候補セルｎについて計算され得る。そうでなければ、ＣＳＧ固有のオフセットパラメータが利用可能でありかつ候補セルｎがＣＳＧ又はＨＮＢセルであると決定されると、ＣＳＧホワイトリスト比較器７１２は、候補セルｎがＣＳＧホワイトリスト１２０に属するかどうかを決定するために利用され得る。この決定に基づいて、ランクメトリックは、適切なＣＳＧ固有のオフセットパラメータ（複数可）及び／又はヒステリシスパラメータ（複数可）を利用することによって候補セルｎについて計算され得る。一実施例では、許可されたセルについてのＣＳＧオフセット（例えば、Ｑoffset,CSG）は、ＣＳＧホワイトリスト１２０に属することが知られているセル（例えば、ＳＩＢが読み取られており、ＣＳＧホワイトリスト１２０に属することがわかっているセル）について適用することができ、許可されていないセルについてのＣＳＧオフセット（例えば、Ｑoffset,NotAllowedCSG）は、他の全てのセルに適用することができる。あるいは、許可されていないセルについてのＣＳＧオフセットは、ＣＳＧホワイトリスト１２０に属さないことが知られているセルに適用することができ、第３のＣＳＧオフセットパラメータ（例えば、Ｑoffset,IndeterminateCSG）は、ＣＳＧ  ＩＤが読み取られていない、かつ／又は、ＣＳＧホワイトリスト１２０内のメンバーシップがその他の方法で知られていないセルに適用することができる。
【００６６】
上記説明は、ＣＳＧ又はＨＮＢセルへの切換えに関連してＣＳＧ固有のオフセットパラメータを利用してランク付け基準を計算することに関するが、ＣＳＧ又はＨＮＢセルから別のネットワークセルへの切換えに関連してＣＳＧ固有のヒステリシスパラメータ（例えば、Ｑhyst,CSG）を利用する同様な方法が、ここに記述されているように利用され得ることが認識され得る。例えば、評価は、候補セルｎの代わりにサービングセルについて一般に上述したように進み得る。
【００６７】
次に図８を考えて、種々の態様による、無線通信システムにおいて電力効率の高いセル再選択を容易にするシステムのブロック図が示される。図８が示すように、システム８００は、再選択モジュール１１４がセル再選択を試みる周波数を制御するように、再選択タイミングモジュール１１６を利用し得るセル再選択モジュール１１４を含み得る。例えば、ＨＮＢセルは、ある場合には、密に展開され、小さなサービスエリアについてサービスを提供し得る。そのため、ＵＥが移動している場合、比較的低速（例えば、歩行者又はゆっくりした車両のＵＥ）でも、ＵＥは、短時間にいくつかの新しいセルに出会い得る。したがって、全てのこうしたセルからシステム情報を読み取るときに費やされる電池寿命は、ある場合には法外に大きくなり得る。慣例的に、再選択タイミングモジュール１１６は、関連するＵＥ又は他のデバイスが、所定のセルに対して再選択するようにイネーブルされる前に、（例えば、セル再選択モジュール１１４のセル解析器８２２によって）システム情報を読み取るために必要とされる、Ｔreselectionと呼ばれるネットワーク再選択遅延８１２を利用し得る。例えば、１秒のネットワーク再選択遅延８１２は、大きなセルを有する純粋なマクロネットワークにおいて過剰の電池消耗を防止するのに十分であり得るが、小さなセルを含むネットワークについてのさらなる最適化を実施することが望ましい。
【００６８】
したがって、端末電池寿命の改善された節約を容易にするために、ネットワーク再選択遅延８１２より長くなるように構成されるＨＮＢ再選択遅延８１４（例えば、Ｔreselection,HNB）は、ＨＮＢセル（又は、ＨｅＮＢセル）であることが知られている新しいセルの場合に、セル再選択モジュール１１４が、ＨＮＢ再選択遅延後にだけセルを再選択するように要求されるように、再選択タイミングモジュール１１６によってさらに使用され得る。付加的に又は代替的に、新しいセルが、許可された（例えば、ＣＳＧホワイトリスト内に存在するか又はその他の方法で許可された）ＣＳＧセルであることが知られている場合、セル再選択モジュール１１４は、ネットワーク再選択遅延８１２より速くはないがＨＮＢ再選択遅延８１４の終了後にセルを選択するように構成され得る。一実施例では、セル再選択モジュール１１４は、ここに記述されている１つ又は複数の他の態様（例えば、ＣＳＧ固有のセルランク付けオフセット及び／又はヒステリシス方法など）、及び／又は、関連するデバイスにとって有利であるとみなされるＣＳＧセルならびに／又は他のＨＮＢ又はＨｅＮＢセルの優先順序付けを容易にする他の適した態様と組合せて利用され得る。
【００６９】
一態様によれば、セル再選択モジュール１１４は、さらに、ネットワーク再選択遅延８１２又はＨＮＢ再選択遅延８１４後に再選択を実施するかどうかを決定するときにオプションの信号強度解析器８２４を利用し得る。例えば、信号強度解析器８２４は、キャンプセルの現在の観測された信号強度が比較的弱い、かつ／又は、観測されたセルの現在の観測された信号強度が比較的強い場合にすぐに、観測されたセルに対する再選択を容易にするように利用され得る。別の態様によれば、信号強度解析器８２４は、関連する装置によって得られる信号強度測定値に基づいてセルの選択を容易にするために種々の方法で動作し得る。信号強度解析器８２４によって利用され得る方法の種々の実施例は、以下で示される。しかし、添付特許請求の範囲は、別途明示的に述べられない限り、こうした技法に限定されることを意図されないことが認識されるべきである。
【００７０】
特定の実施例によれば、信号強度解析器は、それぞれの観測されたセル及び／又はキャンプされたセルに関連するそれぞれのパイロット及び／又は他の適した参照信号の強度又は品質を評価し得る。これは、例えば、所定の観測されたセルからパイロットに関連する信号強度を測定し、観測されたセルからのパイロットの受信強度と全てのセルからの総合受信信号強度の比としてパイロットの相対品質を計算することによって達成され得る。したがって、こうした比に基づいて、信号強度解析器８２４は、所定の観測されたセルに対して再選択するかどうか、もしそうであれば、再選択を実施するときにネットワーク再選択遅延８１２を利用するか、ＨＮＢ再選択遅延を利用するかに関してセル再選択モジュール１１４が決定するのを補助し得る。
【００７１】
さらなる特定の実施例によれば、信号強度解析器８２４は、所定のサンプリングスキームに従って、観測された各セルから受信されるパイロット及び／又は他の信号から信号強度をサンプリングするように構成され得る。そのため、例えば、パイロット品質のＮ個のサンプルのシリーズが、信号強度解析器８２４によって得られ得る。ここで、Ｎは整数である。信号強度解析器８２４によって実施されるサンプル収集及び／又は処理に関して、サンプルが、任意の適した方法で（例えば、予め規定された又は動的なサンプリングレートなどに従って）得られ、観測された各セルに関連する信号品質の指示子を得るのに適した任意の方法で処理され得ることが認識されるべきである。例えば、予め規定された期間内に得られるＮ個のサンプルは、平均信号品質を得るために平均されることができ、平均信号品質は、再選択が実施されるかどうか、かつ／又は、遅延８１２が再選択のために利用されるか、遅延８１４が再選択のために利用されるかどうかを決定するために利用され得る。付加的に又は別法として、信号強度解析器８２４は、（例えば、ＨＮＢ再選択遅延８１４で又はその後に）観測されたセルに対する再選択が、肯定的な決定によって実施される可能性が高くなるように、観測されたセルからのＮ個の収集されたサンプルの中で少なくともＭ（ＭはＮ以下の整数である）個のサンプルが、予め規定された再選択閾値を超えるかどうかを決定するために、フィルタリング及び／又は他の適した手段を使用し得る。
【００７２】
さらなる特定の実施例によれば、信号強度解析器８２４は、現在キャンプされているセルからのパイロットに関連する信号品質が、所定のレベルより下に落ちた又は落ちつつあることを識別するように構成され得る。こうした決定が行われると、信号強度解析器は、ＨＮＢ再選択遅延８１４の終了まで再選択が遅延されることを必要とすることなく、ネットワーク再選択遅延８１２によって指定された時間内で、ＣＳＧセルならびに／又は他の好ましいＨＮＢ又はＨｅＮＢセルを含む、適した信号品質を有する任意のネットワークセルに対する再選択を容易にし得る。あるいは、キャンプセルがサービスに適さなくされる範囲まで、キャンプセルの信号強度が低下したと決定されると、セル再選択モジュール１１４は、構成されたいずれのタイマ８１２〜８１４にもよらず、最も高くランク付けされたセルに対して再選択するように構成され得る。
【００７３】
一態様によれば、システム８００によって使用され得る再選択遅延８１２〜８１４の例示的な動作が、図９の線図９００によってさらに詳細に示される。線図９００に示すように、マクロセルが、関連するデバイスに対して最も強い又は最もよくランク付けされたセルになると、デバイスは、Ｔreselectionによって規定される期間中にそのセルに対して再選択しないように構成されることができ、Ｔreselection後に、デバイスは、そのセルに対して再選択するように強制され得る。さらに、セル再選択によって生じる過剰の電力使用を回避するために、セルに対する強制的な再選択が起こる前に、ＨＮＢセルが、デバイスによって最良のセルとして検出されるのに必要とされる時間量を増加させるための第２のタイミングパラメータＴreselection,HNBが導入される。さらに、Ｔreselectionの終了とＴreselection,HNBの終了との間の期間は、（例えば、関連装置についてホーム又は好ましいセルであること、セルによって提供されるサービス、セルの強度、及び／又は現在キャンプされているセルの強度などのために）望ましいとみなされる各セルが、Ｔreselection,HNBの終了前に選択され得るように、ＨＮＢセルについてオプションの再選択期間として構成され得る。
【００７４】
図１０を参照して、種々の態様による、セル選択に関連して周波数解析を実施するシステム１０００のブロック図が示される。システム１０００は、周波数解析モジュール１１８を含むことができ、周波数解析モジュール１１８は，一実施例では、ＣＳＧの「暗黙的優先順序付け（implicit prioritization）」を実施するために利用され得る。より詳細には、暗黙的優先順序付けの場合、使用が許可されるＣＳＧセル（例えば、ＨＮＢ及び／又はＨｅＮＢに関するオープン又は半オープンアクセスの各モデルを考慮した、ＨＮＢ及び／又はＨｅＮＢ）を識別すると、周波数解析モジュール１１８は、以前に割当てられたいずれの周波数優先度よりも高い優先度であるかのように、ＣＳＧセルが動作する周波数を自動的に扱い得る。したがって、周波数解析モジュール１１８が、キャンプされることを許可されるＣＳＧセルを検出し、前記ＣＳＧセルからの測定信号強度が予め規定されたシステムパラメータThresh_x_highを超える場合、周波数解析モジュール１１８は、ＣＳＧセルによって利用される周波数に対する（例えば、周波数再選択モジュール１０２０及び／又はセル再選択モジュール１１６による）再選択を容易にし得る。暗黙的優先順序付けをこうして実施することによって、好ましいＣＳＧセルに接続し、好ましいＣＳＧセルによる利益（例えば、優先的な支払い構造、増加したサービスの範囲など）を利用するためにユーザに提供される機会の総量が増加することが認識され得る。
【００７５】
しかし、ＣＳＧセルが、その周波数上で最良のセルであることなくThresh_x_highを超える場合、周波数間のかつ／又はセル間の急速でかつ望ましくない「ピンポン」再選択をもたらし得ることが認識され得る。これは、次の通りに実施例によってさらに詳細に述べられ得る。最初に、周波数解析モジュール１１８に関連するＵＥは、所定のサービングセル及び周波数にキャンプオンし、サービング周波数より低い優先度を有する異種周波数に関するマクロセル及びＣＳＧセルの存在を（例えば、セル発見モジュール１０１２によって）検出し得る。時間ｔ１にて、マクロセルの信号強度がThresh_x_highを超えることを周波数解析モジュール１１８が（例えば、セル信号強度解析器１０１４によって）観測する場合、関連するＵＥは、周波数が、低い優先度であるため、アクションを全く起こさないように構成され得る。その後、ＣＳＧセルの信号強度がまた、時間ｔ２にてThresh_x_highを超える場合、暗黙的優先度ルールによって、周波数解析モジュール１１８は、周波数再選択モジュール１０２０がその周波数に対して再選択するよう構成されるような優先度の高い周波数として、ＣＳＧセルが動作する周波数を扱い得る。
【００７６】
新しい周波数に変わると、しかし、周波数解析モジュール１１８は、ＣＳＧセルが、実際にはその周波数上で最良のセルでないこと、及び、マクロセルが実質的に強いことを発見し得る。そのため、セル再選択モジュール１１６は、ある場合には、新しい周波数上でマクロセルに対する再選択を容易にし得る。そうするときには、しかし、最初の異周波数再選択が不必要にされる（ある場合には、非生産的にされ、したがって、再選択が、ネットワークが各マクロセルに課した周波数階層構造に違反する）ことが認識され得る。さらに、ＣＳＧセルの優先度だけを上げることが望ましいときに、こうした方法は、ＣＳＧセルによって利用される周波数上で動作する全てのセルに対して高い優先度を与えるのに有効に働くことが認識され得る。
【００７７】
一態様によれば、周波数解析モジュール１１８は、周波数ベースセルランク付けモジュール１０１６を含むことができ、周波数ベースセルランク付けモジュール１０１６は、２段階再選択手法を実装することによって、上述した余計な異周波数再選択を防止し得る。より詳細には、周波数解析モジュール１１８は、最初に、（例えば、所定の周波数上のＣＳＧセルが、予め規定された閾値を超える信号強度を有すると、セル発見モジュール１０１２及び／又はセル信号強度解析器１０１４によって決定されることによって）暗黙的優先度ルールが所定の周波数について適用され得ると決定し得る。その後、周波数ベースセルランク付けモジュール１０１６は、識別された周波数を優先順序付けするかどうかを決定する前に、周波数解析モジュールが、異周波数再選択後にＣＳＧセルへのキャンプオンを実際に容易にすることになるかどうかを決定するために、識別された周波数上でセルを評価し得る。そのため、周波数再選択モジュール１０２０及び／又はセル再選択モジュール１１６は、ＣＳＧセルが、識別された周波数上で最良にランク付けされたセルであると決定される場合にだけ、再選択を実施するように構成され得る。
【００７８】
実施例によれば、周波数解析モジュール１１８に関連するＵＥは、最初に、周波数ｆ１にキャンプオンする可能性がある。その後、セル発見モジュール１０１２は、周波数ｆ２に関してアクセス可能なＣＳＧセルを発見し得る。ＣＳＧセルの信号強度が、先に規定した閾値Thresh_x_highより大きくない（とセル信号強度解析器１０１４によって決定される）場合、周波数解析モジュール１１８は、さらなる行動を起こさない。そうでなければ、周波数ベースセルランク付けモジュール１０１８は、関連するＵＥが周波数ｆ２にキャンプオンされるかのように周波数ｆ２を利用するセルを評価するために使用され得る。そのため、例えば、周波数ベースセルランク付けモジュール１０１８は、周波数ｆ２に実際にキャンプオンする前に、関連するＵＥが周波数ｆ２にキャンプオンする場合に計算されることになるセルのランク付けを計算するために利用され得る。このセルランク付けに基づいて、ＣＳＧセルが、周波数ｆ２に関して最も高くランク付けされたセルでない場合、関連するＵＥは、行動を全く起こさず、それにより、先に述べた２重の再選択問題が回避され得る。そうでなければ、セル再選択モジュール１１６及び周波数再選択モジュール１０２０は、関連するＵＥを周波数ｆ２及びＣＳＧセルにキャンプオンするために利用され得る。
【００７９】
ここで図１１〜１６を参照して、本明細書で述べた種々の態様に従って実施され得る方法が示される。説明を簡単にするために、方法が、一連の行動として示され述べられるが、１つ又は複数の態様によれば、一部の行動は、異なる順序で、かつ／又は、本明細書で示し述べられるアクション以外の行動と同時に起こるため、方法が、アクションの順序によって制限されないことが理解され認識される。例えば、方法は、あるいは、状態図などにおいて、一連の相互に関連する状態又はイベントとして表され得ることを当業者は理解し認識するであろう。さらに、１つ又は複数の態様による方法を実施するために、全ての示す行動が必要とされない可能性がある。
【００８０】
図１１を参照して、ネットワークセル選択のために利用されるセルランク付け基準にＣＳＧ固有のパラメータを適用する方法１１００が示される。方法１１００が、例えば、ＵＥ（例えば、ＵＥ１１０）及び／又は任意の他の適切なネットワークデバイスによって実施され得ることが認識され得る。方法１１００は、ブロック１１０２で始まり、無線通信システムにおいてセル（例えば、アイドルモードにおける再選択のための候補セル）の選択に関連するランク付け基準が識別される。ブロック１１０４にて、セルが、関連するＣＳＧホワイトリスト（例えば、ＣＳＧホワイトリスト１２０）に属することが知られているかどうかが（例えば、セル識別子２１２によって）決定される。ブロック１１０６にて、（例えば、候補セルランク付けモジュール２１８又はヒステリシスモジュール２１６によってそれぞれ適用される）識別されたランク付け基準に適用されるオフセット又はヒステリシスパラメータは、ブロック１１０４における決定に少なくとも部分的に基づいて選択される。
【００８１】
ここで図１２を考えて、ネットワークセル選択のために利用されるセルランク付け基準にＣＳＧ固有のパラメータを適用する別の方法１２００のフロー図が示される。方法１２００は、例えば、端末装置及び／又は任意の他の適切なネットワークエンティティによって実施され得る。方法１２００は、ブロック１２０２で始まり、候補セルｎが識別される。次に、ブロック１２０４にて、セルｎがＨＮＢセルであるか、ＣＳＧセルであるかが決定される。セルｎがＨＮＢ又はＣＳＧセルでない場合、方法１２００は、ブロック１２０６にて終了し、セルｎのランク付けが、システム全体のパラメータを使用して計算される（例えば、Ｑmeas−Ｑoffset,n）。そうでなければ、方法１２００は、ブロック１２０８に進み、ＣＳＧ固有のランクオフセットが利用可能であるかどうかが決定される。こうしたオフセットが利用可能でない場合、方法１２００は、上述したようにブロック１２０６で終了する、又は別法として、こうしたオフセットが利用可能である場合、方法１２００は、ブロック１２１０に進み得る。
【００８２】
ブロック１２１０にて、セルｎが、関連するＣＳＧホワイトリストに属することが知られているかどうかが決定される。ブロック１２１０における決定は、種々の方法で実施され得る。例えば、ＣＳＧセルのために予約された識別子の値のセットが受信されることができ、予約された識別子の値のセットに基づいて、方法１２００を実施するエンティティが、受信されたセット内の識別子に対して、セルｎに対応する識別子の値を照合し、首尾よく照合されると、セルがＣＳＧホワイトリストに属するかどうかを決定するために、セルのＣＳＧ識別子を読み取るように試みることができる。あるいは、方法１２００を実施するエンティティは、現在のロケーションに対応する指紋信号パターンを得て、指紋信号パターンが、関連するＣＳＧホワイトリストに属する１つ又は複数のセルを指示するかどうかを決定し得る。こうした決定がなされると、セルｎを含む、予め規定された範囲内の各セルのＣＳＧ識別子は、各セルがＣＳＧホワイトリストに属するかどうかを決定するために読み取られ得る。
【００８３】
ブロック１２１０にて、セルｎがＣＳＧホワイトリストに属することが知られていないと決定されると、方法１２００は、ブロック１２１２にて終了することができ、セルｎのランク付けは、（例えば、Ｑmeas−ＱoffsetNotAllowed,CSGとして）負のランク付けオフセットを使用して計算され、それにより、セルに対する再選択が起こるセルからの距離が減少する。あるいは、セルｎがＣＳＧホワイトリストに属することが知られている場合、方法１２００は、ブロック１２１４にて終了することができ、セルｎのランク付けは、（例えば、Ｑmeas−ＱoffsetNotAllowed,CSGとして）正のランク付けオフセットを使用して計算され、それにより、セルに対する再選択が起こるセルからの距離が増加する。
【００８４】
図１３は、ネットワークセル選択のために利用されるセルランク付け基準にＣＳＧ固有のパラメータを適用するさらなる方法１３００を示す。方法１３００は、例えば、ユーザデバイス及び／又は任意の他の適したネットワークデバイスによって実施され得る。方法１３００は、ブロック１３０２にて始まり、現在キャンプされているセルが識別される。次に、ＣＳＧ固有のヒステリシスオフセットパラメータが利用可能であるかどうかが決定される。こうしたパラメータが利用可能でない場合、方法１３００は、ブロック１３０６にて終了し、キャンプセルのランク付けが、システム全体のヒステリシスパラメータ（例えば、Ｑmeas,HNB＋Ｑhyst）を使用して評価される。そうでなければ、方法１３００は、ブロック１３０８に進むことができ、ブロック１３０２にて識別されたキャンプセルが関連するＣＳＧホワイトリスト内にあるかどうかが決定される。キャンプセルがホワイトリスト内にない場合、方法１３００は、上述したようにブロック１３０６にて終了し得る。あるいは、キャンプセルがホワイトリスト内にある場合、方法１３００は、代わりに、ブロック１３０８にて終了することができ、キャンプセルのランク付けが、（例えば、Ｑmeas,HNB＋Ｑhyst,CSGとして）正のヒステリシスパラメータを適用することによって評価され、それにより、キャンプセルからの再選択が起こる、キャンプセルからの距離が増加する。
【００８５】
図１４を参照して、（例えば、再選択タイミングモジュール１１６によって）ネットワークセル再選択動作のためにタイミングパラメータを構成し利用する方法１４００が示される。方法１４００は、例えば、移動端末及び／又は任意の他の適切なネットワークデバイスによって実施され得ることが認識される。方法１４００は、ブロック１４０２にて始まり、第１の再選択タイマ（例えば、ネットワーク再選択遅延８１２）及び第２の再選択タイマ（例えば、ＨＮＢ再選択遅延８１４）は、第１の再選択タイマが第２の再選択タイマの前に終了するように初期化される。次に、ブロック１４０４にて、再選択プロシージャが行われるセルが識別される。ブロック１４０６にて、ブロック１４０４にて識別されたセルがＨＮＢセル（例えば、ＨＮＢセル又はＨｅＮＢセル）であるかどうかが決定される。
【００８６】
ブロック１４０６で述べたアクションが終了すると、方法１４００は、任意選択で、ブロック１４０８に進むことができ、ブロック１４０４にて識別されたセルの観測された信号強度が、（例えば、信号強度解析器８２４によって）現在キャンプされているセルの信号強度に対して解析される。一態様によれば、信号強度解析は、信号強度解析器８２４などに関して上述した任意の適した技法（複数可）に基づいて、ブロック１４０６にて実施され得る。
【００８７】
ブロック１４０６及び／又は１４０８にて述べた行動が実行されると、方法は、ブロック１４１０にて終了することができ、ブロック１４０４にて識別されたセルに対する再選択は、ブロック１４０６における決定（及び／又はブロック１４０８で実施されたオプションの信号強度解析）に少なくとも部分的に基づいて、ブロック１４０２で初期化された第１の再選択タイマの終了時又はブロック１４０２で初期化された第２の再選択タイマの終了時に起こるように構成される。一実施例では、セルに対する再選択は、セルによって提供されるサービス、セル及び／又は現在キャンプされているセルの信号強度、セルのＣＳＧホワイトリストメンバーシップ状態、及び／又は任意の他の適した因子に基づいて決定されたセルの望ましさに基づいて、第１の再選択タイマの終了後でかつ第２の再選択タイマの終了前にブロック１４０８にて起こるように構成される。
【００８８】
図１５は、ネットワークセルキャンピングのために利用される各周波数を優先順序付けする方法を示す。方法１５００は、例えば、ＵＥ及び／又は任意の他の適切なネットワーク装置によって実施され得る。方法１５００は、ブロック１５０２にて始まり、無線通信システム内でのセル再選択用の候補周波数が、（例えば、周波数解析モジュール１１８によって）識別される。次に、ブロック１５０４にて、ＣＳＧセルによって提供されるサービス又はＣＳＧセルのＣＳＧホワイトリストメンバーシップの少なくとも一方に基づいて望ましいとみなされるＣＳＧセルが識別される。方法１５００は、その後、ブロック１５０６にて終了することができ、キャンピングは、ブロック１５０４にて識別されたＣＳＧセルが、候補周波数上で最も高くランク付けされたセルであると（例えば、周波数ベースセルランク付けモジュール１０１６によって）決定されると、（例えば、セル再選択モジュール１１６及び／又は周波数再選択モジュール１０２０によって）識別されたセル及び識別された周波数上で行われる。
【００８９】
図１６を参照すると、無線通信システム内で各セルキャンピング及び／又は選択パラメータを通信する方法１６００のフロー図。方法１６００は、例えば、ネットワークセル（例えば、セル１３０）及び／又は任意の他の適したネットワーク装置によって実施され得る。方法１６００は、ブロック１６０２にて始まり、パラメータの第１のセットが、１つ又は複数のユーザ（例えば、ＵＥ１１０）の第１のセットに提供され、ＣＳＧメンバーシップに基づいてセル再選択用のランク付け公式を修正するために１つ又は複数のユーザの第１のセットによって利用され得る。例えば、パラメータの第１のセットは、所定のネットワークセルとの間における再選択が起こる、そのセルからの距離を修正するために各ユーザによって利用され得るオフセット及び／又はヒステリシス値を含み得る。
【００９０】
ブロック１６０２で説明した動作が終了すると、方法１６００は、ブロック１６０４に進むことができ、パラメータの第２のセットが、（例えば、１つ又は複数のユーザの第１のセットに実質的に同等であるか又は少なくとも部分的にオーバラップしない）１つ又は複数のユーザの第２のセットに提供され、ＨＮＢ（又は、ＨｅＮＢ）セルの選択に関して使用される再選択遅延を修正するために１つ又は複数のユーザの第２のセットによって利用され得る。一態様によれば、ブロック１６０２及び１６０４で説明する動作は、各ユーザへのユニキャスト送信、各ユーザのグループへのブロードキャスト又はマルチキャスト送信、及び／又は任意の他の適した手段によって達成され得る。
【００９１】
次に図１７〜２０を参照して、ここに記述されている種々の態様を実装するために利用され得る各装置１７００〜２０００が示される。装置１７００〜２０００は、プロセッサ、ソフトウェア、又はその組合せ（例えば、ファームウェア）によって実装される機能を表す機能ブロックであり得る機能ブロックを含むものとして示されることが認識される。
【００９２】
最初に図１７を参照すると、無線通信システム内での改善されたセル探索及び選択を容易にする装置１７００が示される。装置１７００は、ＵＥ（例えば、ＵＥ１１０）及び／又は別の適したネットワークエンティティによって実施され、ネットワークセルの選択に関連するランク付けパラメータを識別するモジュール１７０２、及び、所定のネットワークセルのＣＳＧホワイトリストメンバーシップの決定に少なくとも部分的に基づいて、所定のネットワークセルのためのランク付けパラメータに適用するオフセット又はヒステリシスを選択するモジュール１７０４を含み得る。
【００９３】
図１８は、無線通信システム内での改善されたセル探索及び選択を容易にする第２の装置１８００を示す。装置１８００は、端末デバイス及び／又は別の適したネットワークエンティティによって実装され、第１のセル選択タイマが、第２のセル選択タイマの前に終了するよう構成されるように、第１のセル選択タイマ及び第２のセル選択タイマを初期化するモジュール１８０２、再選択が行われるネットワークセルを識別するモジュール１８０４、及び、識別されたネットワークセルがＨＮＢセルであるかどうかに少なくとも部分的に基づいて、第１のセル選択タイマの終了時又は第２のセル選択タイマの終了時に、識別されたネットワークセルに対する再選択を行うモジュール１８０６を含み得る。
【００９４】
図１９を参照して、無線通信システム内での改善されたセル探索及び選択を容易にする第３の例示的な装置１９００が示される。装置１９００は、ＵＥ及び／又は別の適したネットワークエンティティによって実施され、セル再選択のための候補周波数を識別するモジュール１９０２、候補周波数上で、望ましいＣＳＧセルを識別するモジュール１９０４、及び、望ましいＣＳＧセルが候補周波数上で最も高くランク付けされたセルであると決定されると、候補周波数上で望ましいＣＳＧセルにキャンプオンするモジュール１９０６を含み得る。
【００９５】
図２０は、無線通信システム内での改善されたセル探索及び選択を容易にする第４の例示的な装置２０００が示される。装置２０００は、ネットワークセル（例えば、セル１３０）及び／又は別の適したネットワークエンティティによって実施され、ＣＳＧメンバーシップに基づいてセル再選択のために使用されるランク付け基準をオフセットさせるパラメータの第１のセットを指示するモジュール２００２及び各ＨＮＢセルの選択に関して使用される再選択遅延を制御するパラメータの第２のセットを指示するモジュール２００４を含み得る。
【００９６】
次に図２１を参照すると、例示的な無線通信システム２１００が示される。一実施例では、システム２１００は、開示される種々の実施形態及び態様が実施され得るいくつかのユーザをサポートするように構成され得る。図２１に示すように、実施例によれば、システム２１００は、複数のセル２１０２（例えば、マクロセル２１０２ａ〜２１０２ｇ）のための通信を提供することができ、各セルは、対応するアクセスポイント（ＡＰ）２１０４（例えば、ＡＰ２１０４ａ〜２１０４ｇ）によってサービス提供される。一実施例では、１つ又は複数のセルは、さらに、各セクタ（図示せず）に分割され得る。
【００９７】
図２１がさらに示すように、ＡＴ２１０６ａ〜２１０６ｋを含む種々のアクセス端末（ＡＴ）２１０６は、システム２１００全体を通して分散され得る。一実施例では、ＡＴ２１０６は、ＡＴがアクティブであるかどうか、また、ＡＴがソフトハンドオフ及び／又は別の同様な状態にあるかどうかに応じて、所定の瞬間に、フォワードリンク（ＦＬ）及び／又はリバースリンク（ＲＬ）上で１つ又は複数のＡＰ２１０４と通信し得る。本明細書でまた一般的に当技術分野で使用されるように、ＡＴ２１０６は、ユーザ機器（ＵＥ）、移動端末、及び／又は任意の他の適した名称としても呼ばれ得る。一態様によれば、システム２１００は、実質的に大きな地理的領域にわたってサービスを提供し得る。例えば、マクロセル２１０２ａ〜２１０２ｇは、近傍内の複数のブロックについてのサービスエリア及び／又は別の同様に適したサービスエリアを提供し得る。
【００９８】
ここで図２２を参照して、ここに記述されている種々の態様が機能し得る例示的な無線通信システム２２００を示すブロック図が提供される。一実施例では、システム２２００は、送信機システム２２１０及び受信機システム２２５０を含む多入力多出力（multiple-input multiple-output）（ＭＩＭＯ）システムである。しかし、送信機システム２２１０及び／又は受信機システム２２５０はまた、例えば（例えば、基地局上の）複数の送信アンテナが単一アンテナデバイス（例えば、移動局）に１つ又は複数のシンボルストリームを送信し得る多入力単一出力システムに適用され得ることが認識されるべきである。さらに、ここに記述されている送信機システム２２１０及び／又は受信機システム２２５０の態様は、単一入力単一出力アンテナシステムに関連して利用され得ることが認識されるべきである。
【００９９】
一態様によれば、いくつかのデータストリーム用のトラフィックデータは、送信機システム２２１０において、データソース２２１２から送信（ＴＸ）データプロセッサ２２１４に提供される。一実施例では、各データストリームは、その後、各送信アンテナ２２２４を介して送信され得る。さらに、ＴＸデータプロセッサ２２１４は、符号化されたデータを提供するために、それぞれの各データストリームのために選択された特定の符号化スキームに基づいて各データストリームについてトラフィックデータをフォーマットし、符号化し、インタリーブし得る。一実施例では、各データストリームについて符号化されたデータは、その後、ＯＦＤＭ技法を使用してパイロットデータによって多重化され得る。パイロットデータは、例えば、既知の方法で処理される既知のデータパターンであり得る。さらに、パイロットデータは、チャネル応答を推定するために受信機システム２２５０で使用され得る。やはり送信機システム２２１０において、各データストリームについての多重化されたパイロット及び符号化されたデータは、変調シンボルを提供するために、それぞれの各データストリームのために選択された特定の変調スキーム（例えば、ＢＰＳＫ、ＱＳＰＫ、Ｍ−ＰＳＫ、又はＭ−ＱＡＭ）に基づいて変調され（すなわち、シンボルマッピングされ）得る。一実施例では、各データストリームについてのデータレート、符号化、及び変調は、プロセッサ２２３０上で実行される、かつ／又は、プロセッサ２２３０によって提供される命令によって決定され得る。
【０１００】
次に、全てのデータストリームについての変調シンボルは、ＴＸプロセッサ２２２０に提供され、ＴＸプロセッサ２２２０は、（例えば、ＯＦＤＭのために）さらに変調シンボルを処理し得る。ＴＸ  ＭＩＭＯプロセッサ２２２０は、その後、ＮT個の変調シンボルストリームをＮT個の送受信機２２２２ａ〜２２２２ｔに提供し得る。一実施例では、各送受信機２２２２は、１つ又は複数のアナログ信号を提供するために、各シンボルストリームを受信し処理し得る。各送受信機２２２２は、その後さらに、ＭＩＭＯチャネルを通じた送信に適する変調信号を提供するために、アナログ信号を調節（例えば、増幅、フィルタリング、及びアップコンバート）し得る。したがって、送受信機２２２２ａ〜２２２２ｔからのＮT個の変調信号は、その後、ＮT個のアンテナ２２２４ａ〜２２２４ｔからそれぞれ送信され得る。
【０１０１】
別の態様によれば、送信された変調信号は、受信機システム２２５０においてＮR個のアンテナ２２５２ａ〜２２５２ｔによって受信され得る。各アンテナ２２５２からの受信信号は、その後、各送受信機２２５４に提供され得る。一実施例では各送受信機２２５４は、各受信信号を調節（例えば、フィルタリング、増幅、及びダウンコンバート）し、サンプルを提供するために調節された信号をデジタル化し、その後、対応する「受信された（received）」シンボルストリームを提供するためにサンプルを処理し得る。ＲＸ  ＭＩＭＯ／データプロセッサ２２６０は、その後、ＮT個の「検出された（detected）」シンボルストリームを提供するために、特定の受信機処理技法に基づいて、ＮR個の送受信機２２５４からのＮR個の受信シンボルストリームを受信し処理し得る。一実施例では、各検出シンボルストリームは、対応するデータストリームについて送信される変調シンボルの推定値であるシンボルを含み得る。ＲＸプロセッサ２２６０は、その後、対応するデータストリームについてトラフィックデータを回復するために、各検出シンボルストリームを少なくとも部分的に復調し、デインタリーブし、復号することによって各シンボルストリームを処理し得る。そのため、ＲＸプロセッサ２２６０による処理は、送信機システム２２１０におけるＴＸ  ＭＩＭＯプロセッサ２２２０及びＴＸデータプロセッサ２２２２によって実施される処理に対して相補的であり得る。ＲＸプロセッサ２２６０は、さらに、処理されたシンボルストリームをデータシンク２２６４に提供し得る。
【０１０２】
一態様によれば、ＲＸプロセッサ２２６０によって生成されるチャネル応答推定値は、受信機において空間／時間処理を実施する、パワーレベルを調整する、変調レート又はスキームを変更する、かつ／又は他の適切なアクションを実施するために使用され得る。さらに、ＲＸプロセッサ２２６０は、さらに、例えば、検出シンボルストリームの信号対雑音干渉比（signal-to-noise-and-interference ratio）（ＳＮＲ）などのチャネル特性を推定し得る。ＲＸプロセッサ２２６０は、その後、推定されたチャネル特性をプロセッサ２２７０に提供し得る。一実施例では、ＲＸプロセッサ２２６０及び／又はプロセッサ２２７０は、さらに、システムについての「動作時（operating）」ＳＮＲの推定値を導出し得る。プロセッサ２２７０は、その後、通信リンク及び／又は受信データストリームに関する情報を含み得るチャネル状態情報（channel state information）（ＣＳＩ）を提供し得る。この情報は、例えば、動作時ＳＮＲを含み得る。ＣＳＩは、その後、ＴＸデータプロセッサ２２１８によって処理され、変調器２２８０によって変調され、送受信機２２５４ａ〜２２５４ｒによって調節され、送信機システム２２１０に返送され得る。さらに、受信機システム２２５０におけるデータソース２２１６は、ＴＸデータプロセッサ２２１８によって処理されるさらなるデータを提供し得る。
【０１０３】
やはり送信機システム２２１０において、受信機システム２２５０からの変調信号は、その後、受信機システム２２５０によって報告されるＣＳＩを回復するために、アンテナ２２２４によって受信され、送受信機２２２２によって調節され、復調器２２４０によって復調され、ＲＸデータプロセッサ２２４２によって処理され得る。一実施例では、報告されるＣＳＩは、その後、プロセッサ２２３０に提供され、１つ又は複数のデータストリームについて使用されるデータレートならびに符号化及び変調スキームを確定するために使用され得る。確定された符号化及び変調スキームは、その後、量子化及び／又は受信機システム２２５０への後での送信のために、送受信機２２２２に提供され得る。付加的にかつ／又は別法として、報告されるＣＳＩは、ＴＸデータプロセッサ２２１４及びＴＸ  ＭＩＭＯプロセッサ２２２０についての種々のコントロールを生成するために、プロセッサ２２３０によって使用され得る。別の実施例では、ＣＳＩ及び／又はＲＸデータプロセッサ２２４２によって処理される他の情報は、データシンク２２４４に提供され得る。
【０１０４】
一実施例では、送信機システム２２１０のプロセッサ２２３０及び受信機システム２２５０のプロセッサ２２７０は、それらの各システムにおいて動作を命令する。さらに、送信機システム２２１０のメモリ２２３２及び受信機システム２２５０のメモリ２２７２は、プロセッサ２２３０及び２２７０によって使用されるプログラムコード及びデータ用の記憶装置を提供し得る。さらに、受信機システム２２５０において、ＮR個の受信信号を処理して、ＮT個の送信シンボルストリームを検出するために、種々の処理方法が使用され得る。これらの受信機処理方法は、等化技法とも呼ばれ得る空間的及び空間−時間的受信機処理方法、及び／又は、「連続干渉除去（successive interference cancellation）」又は「連続除去（successive cancellation）」受信機処理方法とも呼ばれ得る「連続ヌリング／等化及び干渉除去（successive nulling/equalization and interference cancellation）」受信機処理方法を含み得る。
【０１０５】
図２３は、ネットワーク環境内でアクセスポイント基地局の展開を可能にする例示的な通信システム２３００を示す。図２３に示すように、システム２３００は、例えばＨＮＢ２３１０などの複数のアクセスポイント基地局（例えば、フェムトセル又はホームノードＢユニット（ＨＮＢ））を含み得る。一実施例では、各ＨＮＢ２３１０は、例えば１つ又は複数のユーザ住居２３３０などの、対応する小規模ネットワーク環境内に設置され得る。さらに、各ＨＮＢ２３１０は、関連するかつ／又は未知のＵＥ（複数可）２３２０にサービス提供するように構成され得る。一態様によれば、各ＨＮＢ２３１０は、ＤＳＬルータ、ケーブルモデム、及び／又は別の適したデバイス（図示せず）を介して、インターネット２３４０及び移動体オペレータコアネットワーク２３５０に結合され得る。一態様によれば、フェムトセル又はＨＮＢ２３１０の所有者は、移動体オペレータコアネットワーク２３５０を通して提供される、例えば３Ｇ／４Ｇ移動体サービスなどの移動体サービスに加入し得る。したがって、ＵＥ２３２０は、マクロセルラー環境２３６０と住居小規模ネットワーク環境の両方で動作するようにイネーブルされ得る。
【０１０６】
一実施例では、ＵＥ２３２０は、マクロセル移動体ネットワーク２３６０に加えて、フェムトセル又はＨＮＢ２３１０（例えば、対応するユーザ住居２３３０内に存在するＨＮＢ２３１０）のセットによってサービス提供され得る。本明細書でまた一般に当技術分野で使用されるように、家庭用フェムトセルは、ＡＴ又はＵＥが動作することを許可される基地局であり、ゲストフェムトセルは、ＡＴ又はＵＥが動作することを一時的に許可される基地局を指し、未知フェムトセルは、ＡＴ又はＵＥが動作することを許可されない基地局である。一態様によれば、フェムトセル又はＨＮＢ２３１０は、単一周波数又は複数の周波数上で展開されることができ、複数の周波数は、各マクロセル周波数とオーバラップする可能性がある。
【０１０７】
ここに記述されている態様は、ハードウェア、ソフトウェア、ファームウェア、ミドルウェア、マイクロコード、又はその任意の組合せによって実装され得ることが理解される。システム及び／又は方法は、ソフトウェア、ファームウェア、ミドルウェア又はマイクロコード、プログラムコード又はコードセグメントで実装されると、記憶コンポーネントなどの機械可読媒体に記憶され得る。コードセグメントは、プロシージャ、関数、サブプログラム、プログラム、ルーチン、サブルーチン、モジュール、ソフトウェアパッケージ、クラス、あるいは、命令、データ構造、又はプログラムステートメントの任意の組合せを表し得る。コードセグメントは、情報、データ、アーギュメント、パラメータ、又はメモリコンテンツをパッシングするかつ／又は受信することによって別のコードセグメント又はハードウェア回路に結合され得る。情報、アーギュメント、パラメータ、データなどは、メモリ共有、メッセージパッシング、トークンパッシング、ネットワーク伝送などを含む任意の適した手段を使用して、パッシングされる、転送される、又は送信され得る。
【０１０８】
ソフトウェア実施態様の場合、ここに記述されている技法は、ここに記述されている機能を実施するモジュール（例えば、プロシージャ、関数など）によって実装され得る。ソフトウェアコードは、メモリユニットに記憶され、プロセッサによって実行され得る。メモリユニットは、プロセッサ内に又はプロセッサの外部に実装されることができ、プロセッサの外部に実装される場合、メモリユニットは、当技術分野で知られているように、種々の手段を介してプロセッサに通信可能に結合され得る。
【０１０９】
上述されたものは、１つ又は複数の態様の例を含む。もちろん、上述の態様を述べるために、コンポーネント又は方法の考えられる全ての組合せを述べることは可能ではないが、種々の態様の多くのさらなる組合せ及び置換が可能であることを当業者は認識し得る。したがって、述べる態様は、添付特許請求項の趣旨及び範囲内に入る全てのこうした変更、修正、及び変形を包含することが意図される。さらに、用語「含む（includes）」が、詳細な説明又は特許請求の範囲で使用される範囲内において、こうした用語は、「備える（comprising）」が、特許請求項において接続副詞として使用されるときに解釈されるように、用語「備える（comprising）」と同様に包含的（inclusive）であることが意図される。さらに、詳細な説明又は特許請求の範囲で使用される用語「又は（or）」は、「非排他的な又は（non-exclusive or）」であることが意図される。
【図１】
2011530265.tif 000003
【図２】
2011530265.tif 000004
【図３】
2011530265.tif 000005
【図４】
2011530265.tif 000006
【図５】
2011530265.tif 000007
【図６】
2011530265.tif 000008
【図７】
2011530265.tif 000009
【図８】
2011530265.tif 000010
【図９】
2011530265.tif 000011
【図１０】
2011530265.tif 000012
【図１１】
2011530265.tif 000013
【図１２】
2011530265.tif 000014
【図１３】
2011530265.tif 000015
【図１４】
2011530265.tif 000016
【図１５】
2011530265.tif 000017
【図１６】
2011530265.tif 000018
【図１７】
2011530265.tif 000019
【図１８】
2011530265.tif 000020
【図１９】
2011530265.tif 000021
【図２０】
2011530265.tif 000022
【図２１】
2011530265.tif 000023
【図２２】
2011530265.tif 000024
【図２３】
2011530265.tif 000025
【国際調査報告】
2011530265.tif 000026
2011530265.tif 000027
2011530265.tif 000028
2011530265.tif 000029
2011530265.tif 000030
2011530265.tif 000031
2011530265.tif 000032
2011530265.tif 000033
2011530265.tif 000034